(57)【要約】【課題】ＲＯＦシステムで構成される無線基地局において、装置の構成および施工時の設計が複雑化することなく、簡易な方法で流合雑音を抑制することができるアンテナ制御方法を提供する。【解決手段】制御局２が光ファイバ８および各アンテナ局４−ｍを通じて通信開始許可メッセージをアンテナ局の個数だけ子局５−ｋへ送信する。子局５−ｋが各アンテナ局４−ｍからの通信開始許可メッセージの受信レベルを測定し、受信レベルに基づいてアンテナ局を選択し、選択したアンテナ局の識別子を含むアンテナ選択通知メッセージをアンテナ局４−ｍおよび光ファイバ８を通じて制御局２へ送信する。制御局２がアンテナ選択通知メッセージに基づいて、子局５−ｋから受信する通信メッセージを制御局２へ送信することを許可する１または複数個のアンテナ局を選択する。【選択図】図１
2007150852.tif 000002
【特許請求の範囲】
【請求項１】
無線基地局と子局からなる通信システムのアンテナ制御方法であって、
前記無線基地局は、制御局と複数個のアンテナ局とからなり、
前記制御局および前記複数個のアンテナ局は、それぞれ電気／光変換器と光／電気変換器を備え、
前記制御局と前記複数個のアンテナ局との間は、光ファイバを通じて光信号で通信を行ない、
前記子局および前記複数個のアンテナ局は、それぞれアンテナを備え、
前記子局と前記アンテナ局との間は、無線通信を行ない、
上り通信において、前記子局は、メッセージデータをメッセージ用の無線周波数帯の信号である無線信号に変調して前記子局のアンテナから前記アンテナ局へ送信し、前記アンテナ局は、前記無線信号を前記アンテナ局のアンテナで受信し、前記アンテナ局の電気／光変換器でメッセージ用の波長帯の光信号に変換して前記光ファイバを通じて前記制御局へ送信し、前記制御局は、前記光信号を受信して前記制御局の光／電気変換器で前記無線信号に変換し、さらに前記無線信号を前記メッセージデータに復調し、
下り通信において、前記制御局は、メッセージデータをメッセージ用の前記無線周波数帯の信号である無線信号に変調し、さらに前記無線信号を前記制御局の電気／光変換器でメッセージ用の前記波長帯の光信号に変換して前記光ファイバを通じて前記アンテナ局へ送信し、前記アンテナ局は、前記光信号を受信し、前記アンテナ局の光／電気変換器で前記無線信号に変換して前記アンテナ局のアンテナから前記子局へ送信し、前記子局は、前記無線信号を前記子局のアンテナで受信して、前記メッセージデータに復調し、
前記アンテナ制御方法は、
前記子局が、自局の識別子を含む通信開始要求メッセージを前記アンテナ局および前記光ファイバを通じて、前記制御局へ送信する要求ステップと、
前記制御局が、前記光ファイバおよび前記各アンテナ局を通じて、通信開始許可メッセージを前記アンテナ局の個数だけ前記子局へ送信する許可ステップと、
前記子局が、各アンテナ局からの通信開始許可メッセージを受信し、前記通信開始許可メッセージの受信レベルを測定し、前記受信レベルに基づいて前記無線基地局との通信に用いるアンテナ局を選択するステップと、
前記子局が、前記選択したアンテナ局の識別子を含むアンテナ選択通知メッセージを前記アンテナ局および前記光ファイバを通じて、前記制御局へ送信する通知ステップと、
前記制御局が、前記アンテナ選択通知メッセージを受信し、前記アンテナ選択通知メッセージに基づいて、前記子局から受信する通信メッセージを制御局へ送信する１または複数個のアンテナ局を選択し、選択したアンテナ局のみが前記子局から受信する通信メッセ−ジを前記制御局へ送信するように制御するステップとを含む、アンテナ制御方法。
【請求項２】
前記許可ステップは、
前記制御局が、前記アンテナ局を１個ずつ順に選択し、選択したアンテナ局のみが前記制御局から受信する前記通信開始許可メッセージを前記子局へ送信するように指示するスイッチ制御信号を前記光ファイバを通じてすべての前記アンテナ局へ送信する指示ステップと、
前記アンテナ局の各々が、前記スイッチ制御信号を受信して、前記受信したスイッチ制御信号に基づいて、前記制御局から受信する通信開始許可メッセージを前記子局へ送信するか、あるいは送信しないかの切替え設定する設定ステップと、
前記制御局が、前記選択したアンテナ局の識別子を含む通信開始許可メッセージを前記光ファイバおよび前記選択されたアンテナ局を通じて、前記子局へ送信する許可通知ステップとを含む、請求項１記載のアンテナ制御方法。
【請求項３】
前記指示ステップにおいて、前記制御局が、メッセージ用の前記無線周波数帯以外の前記選択したアンテナ局用の周波数帯を含み、他のアンテナ局用の周波数帯を含まないスイッチ制御信号を生成し、
前記設定するステップにおいて、前記アンテナ局の各々が、前記受信したスイッチ制御信号を電気信号に変換し、前記変換された電気信号から自局の周波数帯の成分のみを抽出し、前記自局の周波数帯の成分のみが抽出された信号のレベルが所定値以上の場合のみ、所定時間だけ、前記制御局から受信するメッセージデータを前記子局へ送信するように設定し、
前記許可通知ステップにおいて、前記制御局が、前記所定時間が経過するまでに、前記通信開始許可メッセージを送信する、請求項２記載のアンテナ制御方法。
【請求項４】
前記指示ステップにおいて、前記制御局が、メッセージ用の前記波長帯以外の前記選択したアンテナ局用の波長帯を含み、他のアンテナ局用の波長帯を含まないスイッチ制御信号を生成し、
前記設定するステップにおいて、前記アンテナ局の各々が、前記受信したスイッチ制御信号から自局の波長帯の成分のみを抽出し、前記自局の波長帯の成分のみが抽出された信号のレベルが所定値以上の場合のみ、所定時間、前記制御局から受信するメッセージデータを前記子局へ送信するように設定し、
前記許可通知ステップにおいて、前記制御局が、前記所定時間が経過するまでに、前記通信開始許可メッセージを送信する、請求項２記載のアンテナ制御方法。
【請求項５】
前記アンテナ局の各々は、前記光／電気変換器の出力のうちのメッセージ用の前記無線周波数帯の成分を自局のアンテナへ出力するか否かを切替えるスイッチを備え、
前記設定するステップにおいて、前記アンテナ局の各々は、前記スイッチ制御信号が前記制御局から受信する通信開始許可メッセージを前記子局へ送信するように指示している場合には、前記所定時間だけスイッチを閉じ、前記スイッチ制御信号が前記制御局から受信する通信開始許可メッセージを前記子局へ送信するように指示していない場合には、前記所定時間だけスイッチを開く、請求項１記載のアンテナ制御方法。
【請求項６】
前記アンテナ局の各々が備える前記光／電気変換器は、動作状態と停止状態の切替えが設定が可能であり、
前記設定するステップにおいて、前記アンテナ局の各々は、前記スイッチ制御信号が前記制御局から受信する通信開始許可メッセージを前記制御局へ送信するように指示している場合には、前記光／電気変換器を前記所定時間だけ動作状態とし、前記スイッチ制御信号が前記制御局から受信する通信開始許可メッセージが前記子局へ送信するように指示していない場合には、前記光／電気変換器を前記所定時間だけ停止状態とする、請求項２記載のアンテナ制御方法。
【請求項７】
前記制御するステップは、
前記制御局が、前記受信したアンテナ選択通知メッセージに含まれる１つのアンテナ局を選択し、前記選択したアンテナ局のみが前記子局から受信する通信メッセ−ジを前記制御局へ送信するように指示するスイッチ制御信号を前記光ファイバを通じてすべての前記アンテナ局へ送信する指示ステップと、
前記アンテナ局の各々が、前記スイッチ制御信号を受信して、前記受信したスイッチ制御信号に基づいて、前記子局から受信する通信メッセージを前記制御局へ送信するか、あるいは送信しないかの切替え設定する設定ステップとを含む、請求項１記載のアンテナ制御方法。
【請求項８】
前記無線基地局と前記子局との間は、制御チャネルと複数個の通話チャネルによって通信が行なわれ、
前記制御チャネルを通じて、前記通信開始要求メッセージ、前記通信開始許可メッセージおよび前記アンテナ選択通知メッセージの通信が行なわれ、前記通話チャネルを通じて、前記通信メッセージの通信が行なわれ、
前記許可ステップにおいて、前記制御局は、使用可能な通話チャネルのうち未使用の通話チャネルがある場合のみ、そのうちの１つの通話チャネルを前記子局との通信に使用する通話チャネルとして選択するとともに、前記通信開始許可メッセージを送信し、
前記制御するステップは、
前記制御局が、前記受信したアンテナ選択通知メッセージに含まれるアンテナ局および他の子局と別の通話チャネルでの通信に使用しているアンテナ局を選択し、前記選択したアンテナ局のみが前記子局から受信する通信メッセ−ジを前記制御局へ送信するように指示するスイッチ制御信号を前記光ファイバを通じてすべての前記アンテナ局へ送信する指示ステップと、
前記アンテナ局の各々が、前記スイッチ制御信号を受信して、前記受信したスイッチ制御信号に基づいて、前記子局から受信する通信メッセージを前記制御局へ送信するか、あるいは送信しないかの切替え設定する設定ステップとを含む、請求項１記載のアンテナ制御方法。
【請求項９】
前記指示ステップにおいて、前記制御局は、メッセージ用の前記無線周波数帯以外の制御信号用の周波数帯のスイッチ制御信号を生成し、
前記設定ステップにおいて、前記アンテナ局の各々は、前記受信したスイッチ制御信号を電気信号に変換し、前記変換された電気信号から前記制御信号用の周波数帯の成分を抽出し、前記制御信号用の周波数帯の成分が抽出された信号に基づいて、前記切替え設定を行なう、請求項７または８記載のアンテナ制御方法。
【請求項１０】
前記指示ステップにおいて、前記制御局は、前記制御信号用の周波数帯のうち、前記選択したアンテナ局用の周波数帯を含み、他のアンテナ局用の周波数帯を含まないスイッチ制御信号を生成し、
前記設定ステップにおいて、前記アンテナ局の各々は、前記変換された電気信号から自局の周波数帯の成分のみを抽出し、前記自局の周波数帯の成分のみが抽出された信号のレベルが所定値以上の場合のみ、前記通信メッセージを前記制御局へ送信するように切替え設定する、請求項９記載のアンテナ制御方法。
【請求項１１】
前記指示ステップにおいて、前記制御局は、メッセージ用の前記波長帯以外の制御信号用の波長帯のスイッチ制御信号を生成し、
前記設定ステップにおいて、前記アンテナ局の各々は、前記受信したスイッチ制御信号から前記制御信号用の波長帯の成分のみを抽出し、前記制御信号用の波長帯の成分のみが抽出された信号に基づいて、前記切替え設定を行なう、請求項７または８記載のアンテナ制御方法。
【請求項１２】
前記指示ステップにおいて、前記制御局は、前記制御信号用の光の波長帯のうち、前記選択したアンテナ局用の波長帯を含み、他のアンテナ局用の波長帯を含まないスイッチ制御信号を生成し、
前記設定ステップにおいて、前記アンテナ局の各々は、前記受信したスイッチ制御信号から自局の波長帯の成分のみを抽出し、前記自局の波長帯の成分のみが抽出された信号のレベルが所定値以上の場合のみ、前記通信メッセージを前記制御局へ送信するように切替え設定する、請求項１１記載のアンテナ制御方法。
【請求項１３】
前記アンテナ局の各々は、前記電気／光変換器と前記光ファイバとを接続するためのスイッチを備え、
前記設定ステップにおいて、前記アンテナ局の各々は、前記スイッチ制御信号が前記子局から受信する通信メッセージを前記制御局へ送信するように指示している場合には、前記スイッチを閉じ、前記スイッチ制御信号が前記子局から受信する通信メッセージを前記制御局へ送信するように指示していない場合には、前記スイッチを開く、請求項７記載のアンテナ制御方法。
【請求項１４】
前記アンテナ局の各々は、子局から受信するメッセージデータのうち、通話チャネルの通信メッセージを抽出するフィルタ部と、
前記フィルタ部から出力される通話チャネルの通信メッセージを前記電気／変換器に出力するか否かを切替えるスイッチとを備え、
前記設定ステップにおいて、前記アンテナ局の各々は、前記スイッチ制御信号が前記子局から受信する通信メッセージを前記制御局へ送信するように指示している場合には、前記スイッチを閉じ、前記スイッチ制御信号が前記子局から受信する通信メッセージを前記制御局へ送信するように指示していない場合には、前記スイッチを開く、請求項８記載のアンテナ制御方法。
【請求項１５】
前記アンテナ局の各々が備える前記電気／光変換器は、動作状態と停止状態の切替え設定が可能であり、
前記設定ステップにおいて、前記アンテナ局の各々は、前記スイッチ制御信号が前記子局から受信する通信メッセージを前記制御局へ送信するように指示している場合には、前記電気／光変換器を動作状態とし、前記スイッチ制御信号が前記子局から受信する通信メッセージが前記制御局へ送信するように指示していない場合には、前記電気／光変換器を停止状態とする、請求項７記載のアンテナ制御方法。
【請求項１６】
前記アンテナ制御方法は、
前記制御局が、前記子局または前記アンテナ局ごとの一定期間内の通信履歴を第１のテーブルに記憶するステップと、
前記制御局が、前記第１のテーブルに基づいて、前記子局または前記アンテナ局への請求金額を算出するステップとをさらに含む、請求項１記載のアンテナ制御方法。
【請求項１７】
前記請求金額を算出するステップにおいて、前記制御局は、前記第１のテーブルに通信履歴が記憶された子局が所定の子局のときに、前記子局の通信相手のアンテナ局への請求金額を減額する、請求項１６記載のアンテナ制御方法。
【発明の詳細な説明】
【技術分野】
【０００１】
本発明は、アンテナ制御方法に関し、特にＲＯＦ(Radio On Fiber)システムで構成される無線基地局におけるアンテナ制御方法に関する。
【背景技術】
【０００２】
近年、無線基地局をＲＯＦシステムで構成した通信システムが提案され、実用に供されている。ＲＯＦシステムで構成された無線基地局は、制御局と、制御局と光ファイバで接続された複数個のアンテナ局とからなる。下り通信では、制御局は、無線信号を光信号に変調して光ファイバを通じてアンテナ局へ伝送し、アンテナ局は、受信した光信号を無線信号に復調して、アンテナによって子局へ送信する。上り通信では、アンテナ局は、アンテナによって子局から受信した無線信号を光信号に変調して、光ファイバを通じて制御局へ伝送し、制御局は、受信した光信号を無線信号に復調する。
【０００３】
このような制御局からの光ファイバにアンテナ局が複数接続されるＲＯＦシステムにおいては、流合雑音が問題となる。流動雑音とは、各アンテナ局から制御局へ光信号を同時に送信するときに、各アンテナ局で発生した雑音が光ファイバの幹線に集まることによって、個々のノイズが重畳して生成される巨大な雑音のことをいう。
【０００４】
このような流合雑音を除去するための方法がいくつか提案されている。たとえば、特許文献１では、狭帯域信号を直交系列の符号数に従った個数となるようにコピーし、それぞれに直交系列の符号に従った位相回転を施して伝送し、受信側では直交系列の符号に従った位相逆回転を施して積分加算することにより、雑音は分散されると共に、データ信号について同一位相に戻して積分加算して復元する方法が記載されている。
【０００５】
また、特許文献２では、光信号を偏波依存性損失素子を用いてポアンカレ球上で原点を中心に点対称でない２点を含む偏波状態に変換してからビート雑音を検出し、光信号に含まれる２つの送信光の波長が近づいたときに、雑音を検出することが可能とした方法が記載されている。
【特許文献１】特許第３４０７２５４号公報
【特許文献２】特開２００４−１５１３９号公報
【発明の開示】
【発明が解決しようとする課題】
【０００６】
しかしながら、特許文献１の方法は、雑音抑制や制御がＣＡＴＶ（CAble TeleVision）システムに固有の方法であって、ＲＯＦシステムには適用できない。また、制御が複雑であり、装置が大規模、複雑化するという問題もある。
【０００７】
また、特許文献２の方法は、ＲＯＦシステムに適応することが可能であるが、施工時に偏波依存性を考慮して設計する必要があり、また偏波依存性損失素子が必要となり装置の構成が複雑化する。
【０００８】
それゆえに、本発明の目的は、ＲＯＦシステムで構成される無線基地局において、装置の構成および施工時の設計が複雑化することなく、簡易な方法で流合雑音を抑制することができるアンテナ制御方法を提供することである。
【課題を解決するための手段】
【０００９】
上記課題を解決するために、本発明は、無線基地局と子局からなる通信システムのアンテナ制御方法であって、無線基地局は、制御局と複数個のアンテナ局とからなり、制御局および複数個のアンテナ局は、それぞれ電気／光変換器と光／電気変換器を備え、制御局と複数個のアンテナ局との間は、光ファイバを通じて光信号で通信を行ない、子局および複数個のアンテナ局は、それぞれアンテナを備え、子局とアンテナ局との間は、無線通信を行ない、上り通信において、子局は、メッセージデータをメッセージ用の無線周波数帯の信号である無線信号に変調して子局のアンテナからアンテナ局へ送信し、アンテナ局は、無線信号をアンテナ局のアンテナで受信し、アンテナ局の電気／光変換器でメッセージ用の波長帯の光信号に変換して光ファイバを通じて制御局へ送信し、制御局は、光信号を受信して制御局の光／電気変換器で無線信号に変換し、さらに無線信号をメッセージデータに復調し、下り通信において、制御局は、メッセージデータをメッセージ用の無線周波数帯の信号である無線信号に変調し、さらに無線信号を制御局の電気／光変換器でメッセージ用の波長帯の光信号に変換して光ファイバを通じてアンテナ局へ送信し、アンテナ局は、光信号を受信し、アンテナ局の光／電気変換器で無線信号に変換してアンテナ局のアンテナから子局へ送信し、子局は、無線信号を子局のアンテナで受信して、メッセージデータに復調し、アンテナ制御方法は、子局が、自局の識別子を含む通信開始要求メッセージをアンテナ局および光ファイバを通じて、制御局へ送信する要求ステップと、制御局が、光ファイバおよび各アンテナ局を通じて、通信開始許可メッセージをアンテナ局の個数だけ子局へ送信する許可ステップと、子局が、各アンテナ局からの通信開始許可メッセージを受信し、通信開始許可メッセージの受信レベルを測定し、受信レベルに基づいて無線基地局との通信に用いるアンテナ局を選択するステップと、子局が、選択したアンテナ局の識別子を含むアンテナ選択通知メッセージをアンテナ局および光ファイバを通じて、制御局へ送信する通知ステップと、制御局が、アンテナ選択通知メッセージを受信し、アンテナ選択通知メッセージに基づいて、子局から受信する通信メッセージを制御局へ送信する１または複数個のアンテナ局を選択し、選択したアンテナ局のみが子局から受信する通信メッセ−ジを制御局へ送信するように制御するステップとを含む。
【００１０】
好ましくは、許可ステップは、制御局が、アンテナ局を１個ずつ順に選択し、選択したアンテナ局のみが制御局から受信する通信開始許可メッセージを子局へ送信するように指示するスイッチ制御信号を光ファイバを通じてすべてのアンテナ局へ送信する指示ステップと、アンテナ局の各々が、スイッチ制御信号を受信して、受信したスイッチ制御信号に基づいて、制御局から受信する通信開始許可メッセージを子局へ送信するか、あるいは送信しないかの切替え設定する設定ステップと、制御局が、選択したアンテナ局の識別子を含む通信開始許可メッセージを光ファイバおよび選択されたアンテナ局を通じて、子局へ送信する許可通知ステップとを含む。
【００１１】
好ましくは、指示ステップにおいて、制御局が、メッセージ用の無線周波数帯以外の選択したアンテナ局用の周波数帯を含み、他のアンテナ局用の周波数帯を含まないスイッチ制御信号を生成し、設定するステップにおいて、アンテナ局の各々が、受信したスイッチ制御信号を電気信号に変換し、変換された電気信号から自局の周波数帯の成分のみを抽出し、自局の周波数帯の成分のみが抽出された信号のレベルが所定値以上の場合のみ、所定時間だけ、制御局から受信するメッセージデータを子局へ送信するように設定し、許可通知ステップにおいて、制御局が、所定時間が経過するまでに、通信開始許可メッセージを送信する。
【００１２】
好ましくは、指示ステップにおいて、制御局が、メッセージ用の波長帯以外の選択したアンテナ局用の波長帯を含み、他のアンテナ局用の波長帯を含まないスイッチ制御信号を生成し、設定するステップにおいて、アンテナ局の各々が、受信したスイッチ制御信号から自局の波長帯の成分のみを抽出し、自局の波長帯の成分のみが抽出された信号のレベルが所定値以上の場合のみ、所定時間、制御局から受信するメッセージデータを子局へ送信するように設定し、許可通知ステップにおいて、制御局が、所定時間が経過するまでに、通信開始許可メッセージを送信する。
【００１３】
好ましくは、アンテナ局の各々は、光／電気変換器の出力のうちのメッセージ用の無線周波数帯の成分を自局のアンテナへ出力するか否かを切替えるスイッチを備え、設定するステップにおいて、アンテナ局の各々は、スイッチ制御信号が制御局から受信する通信開始許可メッセージを子局へ送信するように指示している場合には、所定時間だけスイッチを閉じ、スイッチ制御信号が制御局から受信する通信開始許可メッセージを子局へ送信するように指示していない場合には、所定時間だけスイッチを開く。
【００１４】
好ましくは、アンテナ局の各々が備える光／電気変換器は、動作状態と停止状態の切替え設定が可能であり、設定するステップにおいて、アンテナ局の各々は、スイッチ制御信号が制御局から受信する通信開始許可メッセージを制御局へ送信するように指示している場合には、光／電気変換器を所定時間だけ動作状態とし、スイッチ制御信号が制御局から受信する通信開始許可メッセージが子局へ送信するように指示していない場合には、光／電気変換器を所定時間だけ停止状態とする。
【００１５】
好ましくは、制御するステップは、制御局が、受信したアンテナ選択通知メッセージに含まれる１つのアンテナ局を選択し、選択したアンテナ局のみが子局から受信する通信メッセ−ジを制御局へ送信するように指示するスイッチ制御信号を光ファイバを通じてすべてのアンテナ局へ送信する指示ステップと、アンテナ局の各々が、スイッチ制御信号を受信して、受信したスイッチ制御信号に基づいて、子局から受信する通信メッセージを制御局へ送信するか、あるいは送信しないかの切替え設定する設定ステップとを含む。
【００１６】
好ましくは、無線基地局と子局との間は、制御チャネルと複数個の通話チャネルによって通信が行なわれ、制御チャネルを通じて、通信開始要求メッセージ、通信開始許可メッセージおよびアンテナ選択通知メッセージの通信が行なわれ、通話チャネルを通じて、通信メッセージの通信が行なわれ、許可ステップにおいて、制御局は、使用可能な通話チャネルのうち未使用の通話チャネルがある場合のみ、そのうちの１つの通話チャネルを子局との通信に使用する通話チャネルとして選択するとともに、通信開始許可メッセージを送信し、制御するステップは、制御局が、受信したアンテナ選択通知メッセージに含まれるアンテナ局および他の子局と別の通話チャネルでの通信に使用しているアンテナ局を選択し、選択したアンテナ局のみが子局から受信する通信メッセ−ジを制御局へ送信するように指示するスイッチ制御信号を光ファイバを通じてすべてのアンテナ局へ送信する指示ステップと、アンテナ局の各々が、スイッチ制御信号を受信して、受信したスイッチ制御信号に基づいて、子局から受信する通信メッセージを制御局へ送信するか、あるいは送信しないかの切替え設定する設定ステップとを含む。
【００１７】
好ましくは、指示ステップにおいて、制御局は、メッセージ用の無線周波数帯以外の制御信号用の周波数帯のスイッチ制御信号を生成し、設定ステップにおいて、アンテナ局の各々は、受信したスイッチ制御信号を電気信号に変換し、変換された電気信号から制御信号用の周波数帯の成分を抽出し、制御信号用の周波数帯の成分が抽出された信号に基づいて、切替え設定を行なう。
【００１８】
好ましくは、指示ステップにおいて、制御局は、制御信号用の周波数帯のうち、選択したアンテナ局用の周波数帯を含み、他のアンテナ局用の周波数帯を含まないスイッチ制御信号を生成し、設定ステップにおいて、アンテナ局の各々は、変換された電気信号から自局の周波数帯の成分のみを抽出し、自局の周波数帯の成分のみが抽出された信号のレベルが所定値以上の場合のみ、通信メッセージを制御局へ送信するように切替え設定する。
【００１９】
好ましくは、指示ステップにおいて、制御局は、メッセージ用の波長帯以外の制御信号用の波長帯のスイッチ制御信号を生成し、設定ステップにおいて、アンテナ局の各々は、受信したスイッチ制御信号から制御信号用の波長帯の成分のみを抽出し、制御信号用の波長帯の成分のみが抽出された信号に基づいて、切替え設定を行なう。
【００２０】
好ましくは、指示ステップにおいて、制御局は、制御信号用の光の波長帯のうち、選択したアンテナ局用の波長帯を含み、他のアンテナ局用の波長帯を含まないスイッチ制御信号を生成し、設定ステップにおいて、アンテナ局の各々は、受信したスイッチ制御信号から自局の波長帯の成分のみを抽出し、自局の波長帯の成分のみが抽出された信号のレベルが所定値以上の場合のみ、通信メッセージを制御局へ送信するように切替え設定する。
【００２１】
好ましくは、アンテナ局の各々は、電気／光変換器と光ファイバとを接続するためのスイッチを備え、設定ステップにおいて、アンテナ局の各々は、スイッチ制御信号が子局から受信する通信メッセージを制御局へ送信するように指示している場合には、スイッチを閉じ、スイッチ制御信号が子局から受信する通信メッセージを制御局へ送信するように指示していない場合には、スイッチを開く。
【００２２】
好ましくは、アンテナ局の各々は、子局から受信するメッセージデータのうち、通話チャネルの通信メッセージを抽出するフィルタ部と、フィルタ部から出力される通話チャネルの通信メッセージを電気／変換器に出力するか否かを切替えるスイッチとを備え、設定ステップにおいて、アンテナ局の各々は、スイッチ制御信号が子局から受信する通信メッセージを制御局へ送信するように指示している場合には、スイッチを閉じ、スイッチ制御信号が子局から受信する通信メッセージを制御局へ送信するように指示していない場合には、スイッチを開く。
【００２３】
好ましくは、アンテナ局の各々が備える電気／光変換器は、動作状態と停止状態の切替えが設定が可能であり、設定ステップにおいて、アンテナ局の各々は、スイッチ制御信号が子局から受信する通信メッセージを制御局へ送信するように指示している場合には、電気／光変換器を動作状態とし、スイッチ制御信号が子局から受信する通信メッセージが制御局へ送信するように指示していない場合には、電気／光変換器を停止状態とする。
【００２４】
好ましくは、アンテナ制御方法は、制御局が、子局またはアンテナ局ごとの一定期間内の通信履歴を第１のテーブルに記憶するステップと、制御局が、第１のテーブルに基づいて、子局またはアンテナ局への請求金額を算出するステップとをさらに含む。
【００２５】
好ましくは、請求金額を算出するステップにおいて、制御局は、第１のテーブルに通信履歴が記憶された子局が所定の子局のときに、子局の通信相手のアンテナ局への請求金額を減額する。
【発明の効果】
【００２６】
本発明のアンテナ制御方法によれば、簡易な方法で流合雑音を抑制することができる。
【発明を実施するための最良の形態】
【００２７】
以下、本発明に係る実施の形態について図面を参照して説明する。
［第１の実施形態］
第１の実施形態は、子局との通信に最適なアンテナ局のみが子局から受信する通信メッセージを制御局へ送信するようにした通信システムに関する。
【００２８】
（通信システムの全体構成）
図１は、第１の実施形態の通信システムの全体構成を表わす図である。
【００２９】
図１を参照して、この通信システム１は、無線基地局３と、子局５−ｋ（ｋ＝１〜７）とからなる。ここでは、子局の台数を７台として説明する。子局５−ｋ（ｋ＝１〜７）のＩＤは、“Ｍｋ”（ｋ＝１〜７）とする。
【００３０】
無線基地局３は、制御局２と、複数個のアンテナ局４−ｍ（ｍ＝１〜３）とからなる。ここでは、アンテナ局の数を３台として説明する。アンテナ局４−ｍ（ｍ＝１〜３）のＩＤは、“Ａｍ”（ｍ＝１〜３）とする。
【００３１】
制御局２と、アンテナ局４−ｍと間は、光ファイバ８で接続されている。光ファイバ８の幹線部と支線部との間に、光分岐／結合器７が設置されている。光分岐／結合器７は、制御局２から光ファイバ８の幹線部に出力された光信号を分岐して、光ファイバ８の支線部を通じて各アンテナ局４−ｍに出力する。また、光分岐／結合器７は、各アンテナ局４−ｍから光ファイバ８の支線部に出力された光信号を１つに結合して、光ファイバ８の幹線部に出力する。しかし、従来のＲＯＦシステムでは、このように光信号を結合して幹線部に出力する構成とすると、幹線部に出力される光信号に流合雑音が生じることが問題となっていた。
【００３２】
子局５−ｋが存在する領域は、全アンテナ局の中でどのアンテナ局４−ｍに最も近いかによって、３つのゾーン６−ｍ（ｍ＝１〜３）に分離されているものとする。アンテナ局４−ｍに最も近い領域をゾーン６−ｍとする。また、子局５−ｋは、別のゾーンへ移動可能とする。
【００３３】
制御局２とアンテナ局４−ｍとの間は、光ファイバ８を通じて光信号で通信を行ない、アンテナ局４−ｍと子局５−ｋとの間は、アンテナによって無線通信を行なう。
【００３４】
すなわち、上り通信では、子局５−ｋは、メッセージデータをメッセージ用の無線周波数帯の無線信号に変調し、アンテナからアンテナ局４−ｍに送信する。アンテナ局４−ｍは、この無線信号をアンテナで受信し、メッセージ用の波長帯の光信号に変換して光ファイバ８を通じて制御局２へ送信する。制御局２は、この光信号を受信し、電気信号（無線信号）に変換し、さらに無線信号をメッセージデータに復調する。
【００３５】
また、下り通信では、制御局２は、メッセージデータをメッセージ用の無線周波数帯の無線信号に変調し、さらに無線信号をメッセージ用の波長帯の光信号に変換して光ファイバ８を通じてアンテナ局４−ｍへ送信する。各アンテナ局４−ｍは、この光信号を受信し、電気信号（無線信号）に変換して、アンテナから子局４−ｋへ送信する。子局５−ｋは、この無線信号をアンテナで受信し、メッセージデータに復調する。
【００３６】
（制御局の構成）
図２は、第１の実施形態の制御局２の構成を表わす図である。
【００３７】
制御局２は、無線部２１と、電気／光（Ｅ／Ｏ）変換器２２と、光／電気（Ｏ／Ｅ）変換器２３と、通信履歴テーブル記憶部２６と、通信制御部２４と、課金処理部２７とを含む。
【００３８】
無線部２１は、デジタルデータの形態の通信メッセージをメッセージ用の無線周波数帯の信号に変調し、またメッセージ用の無線周波数帯の通信メッセージまたは通信開始要求メッセージをデジタルデータの形態に復調する。ここで、メッセージ（データ）とは、無線基地局３と子局５−ｋとの間でやりとりされるデータであり、後述する制御信号と区別される。メッセージ（データ）には、通信開始要求メッセージ、通信開始許可メッセージ、アンテナ選択通知メッセージ、および通信メッセージなどがある。通信開始要求メッセージ、通信開始許可メッセージおよびアンテナ選択通知メッセージは、通信を開始するために伝送されるメッセージデータであり、通信メッセージとは、通信開始後に目的とする通信の内容が伝送されるメッセージデータである。
【００３９】
電気／光（Ｅ／Ｏ）変換器２２は、通信制御部２４からの制御信号用の周波数帯の第１のスイッチ制御信号または第２のスイッチ制御信号、無線部２１からのメッセージ用の無線周波数帯の通信メッセージまたは通信開始許可メッセージである電気信号をメッセージ用の波長帯の光信号に変換して光ファイバ８に出力する。
【００４０】
光／電気（Ｏ／Ｅ）変換器２３は、光ファイバ８を通じて送られてきた光信号を電気信号（メッセージ用の無線周波数帯の通信開始要求メッセージ、アンテナ選択通知メッセージまたは通信メッセージ）に変換して無線部２１に出力する。
【００４１】
通信履歴テーブル記憶部２６は、アンテナ局ごとに一定期間内の通信回数をＩＤによって定めた通信履歴テーブルを記憶する。ここで、通信回数とは、通信開始要求メッセージを受信した回数、つまり通信の開始が行なわれた回数をいう。
【００４２】
図３は、通信履歴テーブルの例を表わす図である。
図３を参照して、２００５年１０月度（１０月１日から現在まで）において、ＩＤが“＃Ａ１”のアンテナ局の通信回数は“３”であり、ＩＤが“＃Ａ２”のアンテナ局の通信回数は“５”であり、ＩＤが“＃Ａ３”のアンテナ局の通信回数は“７”である。
【００４３】
通信制御部２４は、子局５−ｋとの通信の制御を行なう。
通信制御部２４は、子局のＩＤとして受信した通信開始要求メッセージに含まれる子局のＩＤを含み、かつアンテナ局のＩＤとして選択したアンテナ局のＩＤを含む通信開始許可メッセージをデジタルデータの形態で生成する。
【００４４】
通信制御部２４は、さらに、アンテナ局４−ｍを制御する。
すなわち、通信制御部２４は、通信開始時に、選択したアンテナ局のみが通信開始許可メッセージを子局５−ｋへ送信するように指示するために、制御局２がアンテナ局４−ｍを制御するための制御信号用の周波数帯のうち、選択されたアンテナ局用の周波数帯を含み、他のアンテナ局用の周波数帯を含まない第１のスイッチ制御信号を生成する。すなわち、第１のスイッチ制御信号には、選択されたアンテナ局用の周波数帯以外に、他のアンテナ局用の周波数も、メッセージ用の無線周波数帯も含まれない。
【００４５】
また、通信制御部２４は、通信開始時に、子局５−ｋで選択されたアンテナ局のみが子局から受信する通信メッセージを制御局２へ送信するように指示するために、制御局２がアンテナ局４−ｍを制御するための制御信号用の周波数帯のうち、受信したアンテナ選択通知メッセージに含まれるＩＤのアンテナ局用の周波数帯を選択して、選択されたアンテナ局用の周波数帯を含み、他のアンテナ局用の周波数帯を含まない第２のスイッチ制御信号を生成する。
【００４６】
また、通信制御部２４は、通信中に、受信した子局５−ｋからの通信メッセージに基づいて各種の処理を行ない、子局５−ｋへ送信する通信メッセージをデジタルデータの形態で生成する。
【００４７】
また、通信制御部２４は、通信開始要求メッセージを受信してから所定時間経過したときには、通信中の子局５−ｋとの通信を終了し、無線基地局３が他の子局からの通信開始要求メッセージを受け取ることができるようにするために、制御局２がアンテナ局４−ｍを制御するための制御信号用の周波数帯のうち、すべてのアンテナ局用の周波数帯を選択して、選択されたすべてのアンテナ局用の周波数帯を含む第２のスイッチ制御信号を生成する。
【００４８】
ここで、各周波数帯は、たとえば、メッセージ用の無線周波数帯を４．５ＧＨｚ以上５．５ＧＨｚ以下、制御信号用の周波数帯を１００ＭＨｚ以上１１５ＭＨｚ未満、アンテナ局４−１（ＩＤ＝Ａ１）用の周波数帯を１００ＭＨｚ以上１０５ＭＨｚ未満、アンテナ局４−２（ＩＤ＝Ａ２）用の周波数帯を１０５ＭＨｚ以上１１０ＭＨｚ未満、アンテナ局４−３（ＩＤ＝Ａ３）用の周波数帯を１１０ＭＨｚ以上１１５ＭＨｚ未満とする。
【００４９】
通信制御部２４は、さらに、通信開始要求メッセージを受信するごとに、その通信開始要求メッセージに含まれるＩＤの子局に対応するアンテナ局の通信回数を１だけインクリメントする。
【００５０】
課金処理部２７は、通信履歴テーブルに基づいて、一定期間（たとえば、一ヶ月）のアンテナ局への請求金額を算出する。すなわち、課金処理部２７は、通信履歴テーブルにおいて通信回数が多いアンテナ局ほど金額が高くなるように請求金額を算出する。
【００５１】
（アンテナ局の構成）
図４は、第１の実施形態のアンテナ局４−１の構成を表わす図である。他のアンテナ局４−２、４−３の構成もこれと同様である。
【００５２】
図４を参照して、アンテナ局４−１は、アンテナ４３と、電気／光（Ｅ／Ｏ）変換器４２と、光／電気（Ｏ／Ｅ）変換器４１と、フィルタ部４５と、スイッチ制御部４６と、第１のスイッチ４４と、第２のスイッチ４７とからなる。
【００５３】
電気／光（Ｅ／Ｏ）変換器４２は、アンテナ４３で受信した子局５−ｋからの電気信号（メッセージ用の無線周波数帯の通信開始要求メッセージ、アンテナ選択通知メッセージまたは通信メッセージ）をメッセージ用の波長帯の光信号に変換して光ファイバ８に出力する。
【００５４】
光／電気（Ｏ／Ｅ）変換器４１は、光ファイバ８を通じて送られてきた制御局２からの光信号を電気信号（制御信号用の周波数帯の第１のスイッチ制御信号または第２のスイッチ制御信号、メッセージ用の無線周波数帯の通信開始許可メッセージまたは通信メッセージ）に変換して、フィルタ部４５に出力する。
【００５５】
アンテナ４３は、子局５−ｋからメッセージ用の無線周波数帯の通信開始要求メッセージ、アンテナ選択通知メッセージまたは通信メッセージを受信し、また子局５−ｋへメッセージ用の無線周波数帯の通信メッセージを送信する。
【００５６】
フィルタ部４５は、光／電気変換器４１から出力された電気信号のうち、制御信号用の周波数帯の信号をスイッチ制御部４６へ出力し、メッセージ用の無線周波数帯の信号をアンテナ４３へ出力する。
【００５７】
スイッチ制御部４６は、フィルタ部４５から出力される第１のスイッチ制御信号に基づいて、第１のスイッチ４４のオン／オフを制御する。すなわち、スイッチ制御部４６は、制御信号用の周波数帯の信号から自局の周波数帯の成分のみを抽出する。スイッチ制御部４６は、自局の周波数帯の成分のみが抽出された信号のレベルが所定値以上（つまり、その周波数帯内の全周波数の信号のレベルが所定値以上、またはその周波数帯内のいずれかの周波数の信号のレベルが所定値以上）の場合には、受信した第１のスイッチ制御信号が制御局２から受信する通信開始許可メッセージを子局へ送信するように指示しているものと判断し、第１のスイッチ４４をオンにする。スイッチ制御部４６は、自局の周波数帯の成分のみが抽出された信号のレベルが所定値未満の場合には、受信した第１のスイッチ制御信号が制御局２から受信する通信開始許可メッセージを制御局２へ送信するように指示していないものと判断し第１のスイッチ４４をオフにする。
【００５８】
また、スイッチ制御部４６は、フィルタ部４５から出力される第２のスイッチ制御信号に基づいて、第２のスイッチ４７のオン／オフを制御する。すなわち、スイッチ制御部４６は、制御信号用の周波数帯の信号から自局の周波数帯の成分のみを抽出する。スイッチ制御部４６は、自局の周波数帯の成分のみが抽出された信号のレベルが所定値以上の場合には、受信した第２のスイッチ制御信号が子局から受信する通信メッセージを制御局２へ送信するように指示しているものと判断し、第２のスイッチ４７をオンにする。スイッチ制御部４６は、自局の周波数帯の成分のみが抽出された信号のレベルが所定値未満の場合には、受信した第２のスイッチ制御信号が子局から受信する通信メッセージを制御局２へ送信するように指示していないものと判断し第２のスイッチ４７をオフにする。
【００５９】
ここで、上述の所定値は、ノイズ成分と区別できるように調整されて設定された値である。
【００６０】
第１のスイッチ４４は、オンのときにフィルタ部４５とアンテナ４３との接続を開く、すなわちフィルタ部４５とアンテナ４３とを接続させる。第１のスイッチ４４は、オフのときにフィルタ部４５とアンテナ４３との接続を閉じる、すなわちフィルタ部４５とアンテナ４３との接続を切断する。
【００６１】
第２のスイッチ４７は、オンのときに電気／光変換器４２と光ファイバ８との接続を開く、すなわち電気／光変換器４２と光ファイバ８とを接続させる。第２のスイッチ４７は、オフのときに電気／光変換器４２と光ファイバ８との接続を閉じる、すなわち電気／光変換器４２と光ファイバ８との接続を切断する。
【００６２】
（子局の構成）
図５は、第１の実施形態の子局５−１の構成を表わす図である。他の子局５−２〜５−７の構成もこれと同様である。
【００６３】
図５を参照して、子局５−１は、アンテナ５２と、無線部５３と、ＲＳＳＩ(Received Signal Strength Indicator)検出部５４と、通信制御部５５とを含む。
【００６４】
無線部５３は、デジタルデータの形態の通信開始要求メッセージまたは通信メッセージをメッセージ用の無線周波数帯の信号に変調し、メッセージ用の無線周波数帯の通信開始許可メッセージまたは通信メッセージをデジタルデータの形態に復調する。
【００６５】
通信制御部５５は、無線基地局３との通信の制御を行なう。
すなわち、通信制御部５５は、子局のＩＤとして自局のＩＤを含む通信開始要求メッセージをデジタルデータの形態で生成する。
【００６６】
また、通信制御部５５は、通信開始許可メッセージの伝送が終了した後、受信電界強度が最大である通信開始許可メッセージを送信したアンテナ局を特定し、特定したアンテナ局を無線基地局３との通信のために使用するアンテナ局として選択し、子局のＩＤとして自局のＩＤを含み、かつアンテナ局のＩＤとして選択したアンテナ局のＩＤを含むアンテナ選択通知メッセージをデジタルデータの形態で生成する。
【００６７】
また、通信制御部５５は、受信した制御局２からの通信メッセージに基づいて各種の処理を行ない、制御局２へ送信する通信メッセージをデジタルデータの形態で生成する。
【００６８】
ＲＳＳＩ検出部５４は、通信開始許可メッセージの受信電界強度を検出する。
アンテナ５２は、アンテナ局４−１から無線周波数帯の通信メッセージまたは通信開始許可メッセージを受信し、またアンテナ局４−１へ無線周波数帯の通信開始要求メッセージ、アンテナ選択通知メッセージまたは通信メッセージを送信する。
【００６９】
（通信開始時の動作の概要）
図６は、第１の実施形態の通信システムの通信開始時の動作手順の概要を表わすフローチャートである。
【００７０】
図６を参照して、まず、通信システム１は、子局５−ｋ（ｋ＝１〜７のいずれか）から制御局２への通信開始要求メッセージの通信処理を行なう（ステップＳ１０１）。
【００７１】
次に、通信システム１は、制御局２から子局５−ｋへの通信開始許可メッセージの通信処理、および子局５−ｋにおいて通信開始許可メッセージの受信レベルの検出処理を行なう（ステップＳ１０２）。
【００７２】
次に、通信システム１は、子局５−ｋにおいて無線基地局３との通信に使用するアンテナ局４−ｍの選択処理を行なう（ステップＳ１０３）。
【００７３】
次に、通信システム１は、子局５−ｋから制御局２へのアンテナ選択通知メッセージの通信処理を行なう（ステップＳ１０４）。
【００７４】
次に、通信システム１は、アンテナ局４−ｍにおいて、子局５−ｋから受信する信号を制御局２へ送信するか否かの切替え設定処理を行なう（ステップＳ１０５）。
【００７５】
次に、通信システム１は、制御局２において、アンテナ局４−ｍに対する課金のための処理を行なう（ステップＳ１０６）。
【００７６】
（ステップＳ１０１の通信開始要求メッセージの通信処理）
図７は、第１の実施形態のステップＳ１０１の通信開始要求メッセージの通信処理の動作手順の詳細を表わすフローチャートである。
【００７７】
図７を参照して、まず、子局５−ｋの通信制御部５５は、子局のＩＤとして自局のＩＤを含む通信開始要求メッセージをデジタルデータの形態で生成する（ステップＳ２０１）。
【００７８】
次に、子局５−ｋの無線部５３は、デジタルデータの通信開始要求メッセージを無線基地局３と子局５−ｋ間で交換するメッセージ用の無線周波数帯の信号（無線信号）に変調して、アンテナ５２を通じて送信する（ステップＳ２０２）。
【００７９】
次に、子局５−ｋが存在するゾーン６−ｍ内にあるアンテナ局４−ｍのアンテナ４３は、メッセージ用の無線周波数帯の通信開始要求メッセージを受信する（ステップＳ２０３）。
【００８０】
次に、子局５−ｋが存在するゾーン６−ｍ内にあるアンテナ局４−ｍの電気／光変換器４２は、メッセージ用の無線周波数帯の通信開始要求メッセージを光信号に変換して、光ファイバ８を通じて制御局２に送信する（ステップＳ２０４）。
【００８１】
次に、制御局２の光／電気変換器２３は、光ファイバ８を通じて受信した通信開始要求メッセージを表わす光信号を受信して、電気信号（無線信号）に変換して、メッセージ用の無線周波数帯の通信開始要求メッセージを生成する（ステップＳ２０５）。
【００８２】
次に、制御局２の無線部２１は、メッセージ用の無線周波数帯の通信開始要求メッセージをもとのデジタルデータに復調する（ステップＳ２０６）。
【００８３】
なお、子局５−ｋが存在するゾーン６−ｍ外にあるアンテナ局もまた通信開始要求メッセージを受信するが、受信した通信開始要求メッセージの受信レベルが低いため、通信開始要求メッセージをノイズ信号として制御局２へ伝送する。
【００８４】
（ステップＳ１０２の通信開始許可メッセージの通信処理および子局での通信開始許可メッセージの受信レベルの検出処理）
図８は、第１の実施形態のステップＳ１０２の通信開始許可メッセージの通信処理および子局での通信開始許可メッセージの受信レベルの検出処理の動作手順の詳細を表わすフローチャートである。
【００８５】
図８を参照して、制御局２の通信制御部２４は、未選択のアンテナ局４−ｍ（ｍ＝１〜３のいずれか）を選択する（ステップＳ３０１）。
【００８６】
次に、制御局２の通信制御部２４は、選択したアンテナ局のみが通信開始許可メッセージを子局５−ｋへ送信するように指示するために、制御局２がアンテナ局４−ｍを制御するための制御信号用の周波数帯のうち、選択されたアンテナ局用の周波数帯を含み、他のアンテナ局用の周波数帯を含まない第１のスイッチ制御信号を生成する（ステップＳ３０２）。
【００８７】
次に、制御局２の電気／光変換器２２は、第１のスイッチ制御信号を光信号に変換して、光ファイバ８を通じてすべてのアンテナ局４−ｍに送信する（ステップＳ３０３）。
【００８８】
次に、各アンテナ局４−ｍの光／電気変換器４１は、光ファイバ８を通じて光信号の第１のスイッチ制御信号を受信して、電気信号に変換してフィルタ部４５に出力する（ステップＳ３０４）。
【００８９】
次に、各アンテナ局４−ｍのフィルタ部４５は、変換された電気信号のうち、制御局２がアンテナ局４−ｍを制御するための制御信号用の周波数帯の信号をスイッチ制御部４６へ出力する。これによって、受信した信号に第１のスイッチ制御信号以外の他の信号（つまり、無線信号）が周波数多重化されている場合にも、第１のスイッチ制御信号のみがスイッチ制御部４６へ送られることになる（ステップＳ３０５）。
【００９０】
次に、各アンテナ局４−ｍのスイッチ制御部４６は、制御信号用の周波数帯の信号から自局の周波数帯の成分のみを抽出し、自局の周波数帯の成分のみが抽出された信号のレベルが所定値以上の場合には（ステップＳ３０６でＹＥＳ）、受信した第１のスイッチ制御信号が制御局２から受信する通信開始許可メッセージを子局５−ｋへ送信するように指示しているものと判断し、第１のスイッチ４４を所定時間だけ、すなわち通信開始許可メッセージの伝送に要するとして予め調整されて設定された時間だけオンにする（ステップＳ３０７）。一方、各アンテナ局４−ｍのスイッチ制御部４６は、自局の周波数帯の成分のみが抽出された信号のレベルが所定値未満の場合には（ステップＳ３０６でＮＯ）、受信した第１のスイッチ制御信号が制御局２から受信する通信開始許可メッセージを子局５−ｋへ送信するように指示していないものと判断し、第１のスイッチ４４をオフにする（ステップＳ３０８）。
【００９１】
その後、制御局２の通信制御部２４は、子局のＩＤとして受信した通信開始要求メッセージに含まれる子局のＩＤを含み、かつアンテナ局のＩＤとして選択したアンテナ局のＩＤを含む通信開始許可メッセージをデジタルデータの形態で生成する（ステップＳ３０９）。
【００９２】
次に、制御局２の無線部２１は、デジタルデータの通信開始許可メッセージを無線基地局３と子局との間で交換するメッセージ用の無線周波数帯の信号（無線信号）に変調する（ステップＳ３１０）。
【００９３】
次に、制御局２の電気／光変換器２２は、メッセージ用の無線周波数帯の通信開始許可メッセージを光信号に変換して、光ファイバ８を通じてすべてのアンテナ局４−ｍに送信する（ステップＳ３１１）。
【００９４】
次に、各アンテナ局４−ｍの光／電気変換器４１は、光ファイバ８を通じて通信開始許可メッセージを表わす光信号を受信して、電気信号に変換してフィルタ部４５に出力する（ステップＳ３１２）。
【００９５】
次に、各アンテナ局４−ｍのフィルタ部４５は、変換された電気信号のうち、メッセージ用の無線周波数帯の信号を第１のスイッチ４４へ出力する（ステップＳ３１３）。
【００９６】
各アンテナ局４−ｍのアンテナ４３は、第１のスイッチ４４がオンの場合には（ステップＳ３１４でＹＥＳ）、メッセージ用の無線周波数帯の通信開始許可メッセージを受けて子局５−ｋに送信する（ステップＳ３１５）。一方、各アンテナ局４−ｍのアンテナ４３は、第１のスイッチ４４がオフの場合には（ステップＳ３１４でＮＯ）、メッセージ用の通信開始許可メッセージを受けず、子局５−ｋに送信しない。
【００９７】
次に、子局５−ｋの無線部５３は、アンテナ５２で受信したメッセージ用の無線周波数帯の通信開始許可メッセージをもとのデジタルデータの形式に変換する（ステップＳ３１６）。
【００９８】
次に、子局５−ｋの通信制御部５５は、通信開始許可メッセージに含まれる子局のＩＤが自局のＩＤである場合で（ステップＳ３１７でＹＥＳ）、その通信開始許可メッセージに含まれるＩＤのアンテナ局のＲＳＳＩを未だ保持していない場合には（ステップＳ３１８でＹＥＳ）、ＲＳＳＩ検出部５４によって検出されたＲＳＳＩを受け取って、アンテナ局のＩＤと対応させて保持する（ステップＳ３１９）。
【００９９】
制御局２の通信制御部２４は、すべてのアンテナ局が選択済みの場合には（ステップＳ３２０でＹＥＳ）、終了し、未選択のアンテナ局がある場合には（ステップＳ３２０でＮＯ）、ステップＳ３０１に戻って、ステップＳ３０１からの処理を繰返す。
【０１００】
（ステップＳ１０３の子局が無線基地局との通信に使用するアンテナ局の選択処理）
図９は、第１の実施形態のステップＳ１０３の子局が無線基地局との通信に使用するアンテナ局の選択処理の動作手順の詳細を表わすフローチャートである。
【０１０１】
図９を参照して、子局５−ｋの通信制御部５５は、通信開始許可メッセージの伝送が終了した後、受信電界強度（ＲＳＳＩ）が最大である通信開始許可メッセージを送信したアンテナ局を特定する（ステップＳ４０１）。
【０１０２】
次に、子局５−ｋの通信制御部５５は、特定したアンテナ局を無線基地局３との通信のために使用するアンテナ局として選択する（ステップＳ４０２）。
【０１０３】
（ステップＳ１０４のアンテナ選択通知メッセージの通信処理）
図１０は、第１の実施形態のステップＳ１０４のアンテナ選択通知メッセージの通信処理の動作手順の詳細を表わすフローチャートである。
【０１０４】
図１０を参照して、まず、子局５−ｋの通信制御部５５は、子局のＩＤとして自局のＩＤを含み、かつアンテナ局のＩＤとして選択したアンテナ局のＩＤを含むアンテナ選択通知メッセージをデジタルデータの形態で生成する（ステップＳ５０１）。
【０１０５】
次に、子局５−ｋの無線部５３は、デジタルデータのアンテナ選択通知メッセージを無線基地局３と子局との間で交換するメッセージ用の無線周波数帯の信号（無線信号）に変調して、アンテナ５２を通じて送信する（ステップＳ５０２）。
【０１０６】
次に、子局５−ｋが存在するゾーン６−ｍ内にあるアンテナ局４−ｍのアンテナ４３は、メッセージ用の無線周波数帯のアンテナ選択通知メッセージを受信する（ステップＳ５０３）。
【０１０７】
次に、子局５−ｋが存在するゾーン６−ｍ内にあるアンテナ局４−ｍの電気／光変換器４２は、メッセージ用の無線周波数帯のアンテナ選択通知メッセージを光信号に変換して、光ファイバ８を通じて制御局２に送信する（ステップＳ５０４）。
【０１０８】
次に、制御局２の光／電気変換器２３は、光ファイバ８を通じて受信したアンテナ選択通知メッセージを表わす光信号を受信して、電気信号（無線信号）に変換して、メッセージ用の無線周波数帯のアンテナ選択通知メッセージを生成する（ステップＳ５０５）。
【０１０９】
次に、制御局２の無線部２１は、メッセージ用の無線周波数帯のアンテナ選択通知メッセージをもとのデジタルデータに復調する（ステップＳ５０６）。
【０１１０】
なお、子局５−ｋが存在するゾーン６−ｍ外にあるアンテナ局もまたアンテナ選択通知メッセージを受信するが、受信したアンテナ選択通知メッセージの受信レベルが低いため、アンテナ選択通知メッセージをノイズ信号として制御局２へ伝送する。
【０１１１】
（ステップＳ１０５の子局から受信する信号の制御局へ送信の切替え設定処理）
図１１は、第１の実施形態のステップＳ１０５のアンテナ局における、子局から受信する信号を制御局へ送信するか否かの切替え設定処理の動作手順の詳細を表わすフローチャートである。
【０１１２】
図１１を参照して、制御局２の通信制御部２４は、子局５−ｋで選択されたアンテナ局のみが子局から受信する通信メッセージを制御局２へ送信するように指示するために、制御局２がアンテナ局４−ｍを制御するための制御信号用の周波数帯のうち、受信したアンテナ選択通知メッセージに含まれるＩＤのアンテナ局用の周波数帯を選択して、選択されたアンテナ局用の周波数帯を含み、他のアンテナ局用の周波数帯を含まない第２のスイッチ制御信号を生成する（ステップＳ６０１）。
【０１１３】
次に、制御局２の通信制御部２４は、通信履歴テーブルにおいて、特定したアンテナ局の通信回数を１だけインクリメントする（ステップＳ６０２）。
【０１１４】
次に、制御局２の電気／光変換器２２は、第２のスイッチ制御信号を光信号に変換して、光ファイバ８を通じてすべてのアンテナ局４−ｍに送信する（ステップＳ６０３）。
【０１１５】
次に、各アンテナ局４−ｍの光／電気変換器４１は、光ファイバ８を通じて光信号の第２のスイッチ制御信号を受信して、電気信号に変換してフィルタ部４５に出力する（ステップＳ６０４）。
【０１１６】
次に、各アンテナ局４−ｍのフィルタ部４５は、変換された電気信号のうち、制御局２がアンテナ局４−ｍを制御するための制御信号用の周波数帯の信号をスイッチ制御部４６へ出力する。これによって、受信した信号に第２のスイッチ制御信号以外の他の信号（つまり、無線信号）が周波数多重化されている場合にも、第２のスイッチ制御信号のみがスイッチ制御部４６へ送られることになる（ステップＳ６０５）。
【０１１７】
次に、各アンテナ局４−ｍのスイッチ制御部４６は、制御信号用の周波数帯の信号から自局の周波数帯の成分のみを抽出し、自局の周波数帯の成分のみが抽出された信号のレベルが所定値以上の場合には（ステップＳ６０６でＹＥＳ）、受信した第２のスイッチ制御信号が子局５−ｋから受信する通信メッセージを制御局２へ送信するように指示しているものと判断し、第２のスイッチ４７をオンにする（ステップＳ６０７）。一方、各アンテナ局４−ｍのスイッチ制御部４６は、自局の周波数帯の成分のみが抽出された信号のレベルが所定値未満の場合には（ステップＳ６０６でＮＯ）、受信した第２のスイッチ制御信号が子局５−ｋから受信する通信メッセージを制御局２へ送信するように指示していないものと判断し、第２のスイッチ４７をオフにする（ステップＳ６０８）。
【０１１８】
（ステップＳ１０６の課金処理）
図１２は、第１の実施形態のステップＳ１０６の制御局における、アンテナ局に対する課金処理の詳細な動作手順を表わすフローチャートである。
【０１１９】
制御局２の課金処理部２７は、当日が月の末日すなわち請求金額清算の締め日である場合には（ステップＳ７０１でＹＥＳ）、通信履歴テーブルに基づいて、当月のアンテナ局４−ｍへの請求金額を算出する。すなわち、課金処理部２７は、通信履歴テーブルにおいて、通信回数が多いアンテナ局ほど金額が高くなるような基準で請求金額を算出する（ステップＳ７０２）。そして、制御局２の課金処理部２７は、通信履歴テーブルに記憶された通信回数を０に初期化する（ステップＳ７０３）。
【０１２０】
（通信中の動作）
次に、本発明の第１の実施形態の通信システムにおいて、子局５−ｋと無線基地局３との間の通信中の動作、つまり通信メッセージの交換時の動作について説明する。
【０１２１】
図１３は、第１の実施形態の通信システムの通信中の動作手順を表わすフローチャートである。
【０１２２】
図１３を参照して、まず、子局５−ｋの通信制御部５５は、子局のＩＤとして自局のＩＤを含む通信メッセージをデジタルデータの形態で生成する（ステップＳ８０１）。
【０１２３】
次に、子局５−ｋの無線部５３は、デジタルデータの形態の通信メッセージをメッセージ用の無線周波数帯の信号（無線信号）に変調して、アンテナ５２を通じて送信する（ステップＳ８０２）。
【０１２４】
次に、子局５−ｋが存在するゾーン６−ｍ内にあるアンテナ局４−ｍのアンテナ４３は、メッセージ用の無線周波数帯の通信メッセージを受信する（ステップＳ８０３）。
【０１２５】
次に、子局５−ｋが存在するゾーン６−ｍ内にあるアンテナ局４−ｍの電気／光変換器４２は、メッセージ用の無線周波数帯の通信メッセージを光信号に変換して、オン状態の第２のスイッチ４７を介して光ファイバ８を通じて制御局２に送信する（ステップＳ８０４）。
【０１２６】
なお、ここで、子局５−ｋが存在するゾーン６−ｍ外にあるアンテナ局の電気／光変換器４２は、第２のスイッチ４７がオフ状態のため、ノイズ成分からなる光信号を制御局２に送信しない。
【０１２７】
次に、制御局２の光／電気変換器２３は、光ファイバ８を通じて通信メッセージを表わす光信号を受信し、電気信号（無線信号）に変換して、メッセージ用の無線周波数帯の通信メッセージを生成する（ステップＳ８０５）。
【０１２８】
次に、制御局２の無線部２１は、メッセージ用の無線周波数帯の通信メッセージをもとのデジタルデータに復調する（ステップＳ８０６）。
【０１２９】
次に、制御局２の通信制御部２４は、得られた子局５−ｋからの通信メッセージに基づいて各種の処理を行なう（ステップＳ８０７）。
【０１３０】
次に、制御局２の通信制御部２４は、子局５−ｋへ送信する通信メッセージをデジタルデータの形態で生成する（ステップＳ８０８）。
【０１３１】
次に、制御局２の無線部２１は、デジタルデータの通信メッセージをメッセージ用の無線周波数帯の信号（無線信号）に変調する（ステップＳ８０９）。
【０１３２】
次に、制御局２の電気／光変換器２２は、メッセージ用の無線周波数帯の通信メッセージを光信号に変換して、光ファイバ８を通じてすべてのアンテナ局４−ｍに送信する（ステップＳ８１０）。
【０１３３】
次に、各アンテナ局４−ｍの光／電気変換器４１は、光ファイバ８を通じて通信メッセージを表わす光信号を受信し、電気信号に変換してフィルタ部４５に出力する（ステップＳ８１１）。
【０１３４】
次に、各アンテナ局４−ｍのフィルタ部４５は、変換された電気信号のうち、メッセージ用の無線周波数帯の信号をアンテナ４３へ出力する。これよって、受信した信号に通信メッセージ以外の他の信号（つまり、第１および第２のスイッチ制御信号）が周波数多重化されている場合にも、通信メッセージのみがアンテナ４３へ送られることになる（ステップＳ８１２）。
【０１３５】
次に、各アンテナ局４−ｍのアンテナ４３は、メッセージ用の無線周波数帯の通信メッセージを子局５−ｋに送信する（ステップＳ８１３）。
【０１３６】
次に、子局５−ｋのアンテナ５２は、自局が存在するゾーン内に配置されているアンテナ局４−ｍから送信されたメッセージ用の無線周波数帯の通信メッセージを受信する（ステップＳ８１４）。
【０１３７】
次に、子局５−ｋの無線部５３は、受信したメッセージ用の無線周波数帯の通信メッセージをもとのデジタルデータの形式に復調する（ステップＳ８１５）。
【０１３８】
次に、子局５−ｋの通信制御部５５は、得られた無線基地局３からの通信メッセージに基づいて各種の処理を行なう（ステップＳ８１６）。
【０１３９】
（通信終了時の動作）
次に、本発明の第１の実施形態の通信システムにおいて、子局５−ｋと無線基地局３との間の通信終了時の動作について説明する。
【０１４０】
図１４は、第１の実施形態の通信システムの通信終了時の動作手順を表わすフローチャートである。
【０１４１】
制御局２の通信制御部２４は、通信開始要求メッセージを受信してから所定時間経過したときには（ステップＳ９０１でＹＥＳ）、通信中の子局５−ｋとの通信を終了する（ステップＳ９０２）。
【０１４２】
さらに、制御局２の通信制御部２４は、無線基地局３が他の子局からの通信開始要求メッセージを受け取ることができるようにするために、制御局２がアンテナ局４−ｍを制御するための制御信号用の周波数帯のうち、すべてのアンテナ局用の周波数帯を選択して、選択されたすべてのアンテナ局用の周波数帯を含む第２のスイッチ制御信号を生成する（ステップＳ９０３）。
【０１４３】
次に、制御局２の電気／光変換器２２は、第２のスイッチ制御信号を光信号に変換して、光ファイバ８を通じてすべてのアンテナ局４−ｍに送信する（ステップＳ９０４）。
【０１４４】
次に、各アンテナ局４−ｍの光／電気変換器４１は、光ファイバ８を通じて光信号の第２のスイッチ制御信号を受信して、電気信号に変換してフィルタ部４５に出力する（ステップＳ９０５）。
【０１４５】
次に、各アンテナ局４−ｍのフィルタ部４５は、変換された電気信号のうち、制御局２がアンテナ局４−ｍを制御するための制御信号用の周波数帯の信号をスイッチ制御部４６へ出力する。これによって、受信した信号に第２のスイッチ制御信号以外の他の信号（つまり、無線信号）が周波数多重化されている場合にも、第２のスイッチ制御信号のみがスイッチ制御部４６へ送られることになる（ステップＳ９０６）。
【０１４６】
次に、各アンテナ局４−ｍのスイッチ制御部４６は、制御信号用の周波数帯の信号から自局の周波数帯の成分のみを抽出して、自局の周波数帯の成分のみが抽出された信号のレベルが所定値以上であると判断して、第２のスイッチ４７をオンにする（ステップＳ９０７）。
【０１４７】
（具体例）
次に、本発明の第１の実施形態の通信システムの通信開始動作の具体例を説明する。
【０１４８】
図１５は、第１の実施形態の通信システムの通信開始時の動作の具体例を説明するための図である。
【０１４９】
図１５を参照して、子局５−４が無線基地局３との通信を開始する場合について説明する。まず、子局５−４の通信制御部５５は、子局のＩＤとして自局のＩＤである“Ｍ４”含む通信開始要求メッセージ“ＳＲＱ  Ｍ４”をデジタルデータの形態で生成し、無線部５３は、デジタルデータの通信開始要求メッセージをメッセージ用の無線周波数帯の信号（無線信号）に変調して、アンテナ５２を通じて送信する（（１）に示す）。
【０１５０】
子局５−４が存在するゾーン６−２内にあるアンテナ局４−２のアンテナ４３は、メッセージ用の無線周波数帯の通信開始要求メッセージを受信し、電気／光変換器４２は、メッセージ用の無線周波数帯の通信開始要求メッセージを光信号に変換して、光ファイバ８を通じて制御局２に送信する（（１）に示す）。
【０１５１】
制御局２の光／電気変換器２３は、光ファイバ８を通じて受信した通信開始要求メッセージを表わす光信号を受信して、電気信号（無線信号）に変換して、メッセージ用の無線周波数帯の通信開始要求メッセージを生成し、無線部２１は、メッセージ用の無線周波数帯の通信開始要求メッセージをもとのデジタルデータに復調する。
【０１５２】
次に、制御局２の通信制御部２４は、まず、アンテナ局４−１を選択する。制御局２の通信制御部２４は、選択したアンテナ局のみが通信開始許可メッセージを子局５−４へ送信するように指示するために、選択されたアンテナ局４−１用の周波数帯を含み、他のアンテナ局４−２、４−３用の周波数帯を含まない第１のスイッチ制御信号を生成し、電気／光変換器２２は、第１のスイッチ制御信号を光信号に変換して、光ファイバ８を通じてすべてのアンテナ局４−１、４−２、４−３に送信する（（２−１−１）に示す）。
【０１５３】
各アンテナ局４−ｍ（ｍ＝１〜３）の光／電気変換器４１は、光ファイバ８を通じて光信号の第１のスイッチ制御信号を受信して、電気信号に変換してフィルタ部４５に出力し、フィルタ部４５は、変換された電気信号のうち、制御信号用の周波数帯の信号をスイッチ制御部４６へ出力する。スイッチ制御部４６は、制御信号用の周波数帯の信号から自局の周波数帯の成分のみを抽出する（（２−１−１）に示す）。
【０１５４】
アンテナ局４−１のスイッチ制御部４６は、自局の周波数帯の成分のみが抽出された信号のレベルが所定値以上であるので、第１のスイッチ４４を所定時間だけ、オンにする（（２−１−２−１）に示す）。アンテナ局４−２のスイッチ制御部４６は、自局の周波数帯の成分のみが抽出された信号のレベルが所定値未満であるので、第１のスイッチ４４をオフにする（（２−１−２−２）に示す）。アンテナ局４−２のスイッチ制御部４６は、自局の周波数帯の成分のみが抽出された信号のレベルが所定値未満であるので、第１のスイッチ４４をオフにする（（２−１−２−３）に示す）。
【０１５５】
次に、制御局２の通信制御部２４は、子局のＩＤとして受信した通信開始要求メッセージに含まれる子局のＩＤを含み、かつアンテナ局のＩＤとして選択したアンテナ局のＩＤを含む通信開始許可メッセージ“ＯＫ  Ｍ４  Ａ１”をデジタルデータの形態で生成し、無線部２１は、デジタルデータの通信開始許可メッセージを無線基地局３と子局との間で交換するメッセージ用の無線周波数帯の信号（無線信号）に変調する。電気／光変換器２２は、メッセージ用の無線周波数帯の通信開始許可メッセージを光信号に変換して、光ファイバ８を通じてすべてのアンテナ局４−１、４−２、４−３に送信する（（２−１−３）に示す）。
【０１５６】
次に、各アンテナ局４−ｍの光／電気変換器４１は、光ファイバ８を通じて通信開始許可メッセージを表わす光信号を受信して、電気信号に変換してフィルタ部４５に出力し、フィルタ部４５は、変換された電気信号のうち、メッセージ用の無線周波数帯の信号を第１のスイッチ４４へ出力する（（２−１−３）に示す）。
【０１５７】
アンテナ局４−１のアンテナ４３は、第１のスイッチ４４がオンであるので、メッセージ用の無線周波数帯の通信開始許可メッセージを受けて子局５−４に送信する（（２−１−３）に示す）。アンテナ局４−２のアンテナ４３は、第１のスイッチ４４がオフであるので、メッセージ用の通信開始許可メッセージを受けず、子局５−４に送信しない。アンテナ局４−３のアンテナ４３は、第１のスイッチ４４がオフであるので、メッセージ用の通信開始許可メッセージを受けず、子局５−４に送信しない。
【０１５８】
次に、アンテナ局４−１について（２−１−１）〜（２−１−３）を行なったときと同様にして、アンテナ局４−２について（２−２−１）〜（２−２−３）の処理を行ない、アンテナ局４−３について（２−３−１）〜（２−３−３）の処理を行なう。
【０１５９】
次に、子局５−４の通信制御部５５は、受信電界強度（ＲＳＳＩ）が最大である通信開始許可メッセージを送信したアンテナ局がアンテナ局４−２であると特定し、子局５−４の通信制御部５５は、特定したアンテナ局を無線基地局３との通信のために使用するアンテナ局として選択する（（５）に示す）。
【０１６０】
次に、子局５−４の通信制御部５５は、子局のＩＤとして自局のＩＤを含み、かつアンテナ局のＩＤとして選択したアンテナ局４−２のＩＤを含んだアンテナ選択通知メッセージ“ＳＥＬ  Ｍ４  Ａ２”をデジタルデータの形態で生成し、無線部５３は、デジタルデータのアンテナ選択通知メッセージを無線基地局３と子局との間で交換するメッセージ用の無線周波数帯の信号（無線信号）に変調して、アンテナ５２を通じて送信する（（６）に示す）。
【０１６１】
次に、子局５−４が存在するゾーン６−２内にあるアンテナ局４−２のアンテナ４３は、メッセージ用の無線周波数帯のアンテナ選択通知メッセージを受信し、電気／光変換器４２は、メッセージ用の無線周波数帯のアンテナ選択通知メッセージを光信号に変換して、光ファイバ８を通じて制御局２に送信する（（６）に示す）。
【０１６２】
制御局２の光／電気変換器２３は、光ファイバ８を通じて受信したアンテナ選択通知メッセージを表わす光信号を受信して、電気信号（無線信号）に変換して、メッセージ用の無線周波数帯のアンテナ選択通知メッセージを生成し、無線部２１は、メッセージ用の無線周波数帯のアンテナ選択通知メッセージをもとのデジタルデータに復調する（（６）に示す）。
【０１６３】
次に、制御局２の通信制御部２４は、制御信号用の周波数帯のうち、アンテナ局４−２用の周波数帯を選択して、選択されたアンテナ局４−２用の周波数帯を含み、他のアンテナ局４−１、４−３用の周波数帯を含まない第２のスイッチ制御信号を生成し、電気／光変換器２２は、第２のスイッチ制御信号を光信号に変換して、光ファイバ８を通じてすべてのアンテナ局４−１，４−２，４−３に送信する（（７）に示す）。
【０１６４】
各アンテナ局４−ｍ（ｍ＝１〜３）の光／電気変換器４１は、光ファイバ８を通じて光信号の第２のスイッチ制御信号を受信して、電気信号に変換してフィルタ部４５に出力し、フィルタ部４５は、変換された電気信号のうち、制御信号用の周波数帯の信号をスイッチ制御部４６へ出力する。スイッチ制御部４６は、制御信号用の周波数帯の信号から自局の周波数帯の成分のみを抽出する（（７）に示す）。
【０１６５】
アンテナ局４−１のスイッチ制御部４６は、自局の周波数帯の成分のみが抽出された信号のレベルが所定値未満であるので、第２のスイッチ４７をオフにする（（８−１）に示す）。アンテナ局４−２のスイッチ制御部４６は、自局の周波数帯の成分のみが抽出された信号のレベルが所定値以上であるので、第２のスイッチ４７をオンにする（（８−２）に示す）。アンテナ局４−３のスイッチ制御部４６は、自局の周波数帯の成分のみが抽出された信号のレベルが所定値未満であるので、第２のスイッチ４７をオフにする（（８−３）に示す）。
【０１６６】
以上のように、本発明の実施形態の通信システムのアンテナ制御方法によれば、子局と通信を行なうのに最適なアンテナ局を選択し、選択したアンテナ局だけが信号を制御局２に送るようにしたので、簡易な方法で流合雑音を抑制することができる。さらに、選択したアンテナ局が子局との通信に使われたアンテナ局であることがわかるので、アンテナ局に対する課金などの処理も容易に行なうことができる。
【０１６７】
［第２の実施形態］
第２の実施形態は、制御チャネルと通話チャネルを用いて無線基地局と子局で通信を行なう通信システムにおいて、通話チャネルでの通信に用いられているアンテナ局のみが、子局から受信する通話チャネルの通信メッセージを制御局へ送信するようにした通信システムに関する。
【０１６８】
（構成）
第２の実施形態の通信システム１の全体構成、制御局２の構成および子局５−ｋ（ｋ＝１〜７）の構成は、第１の実施形態と基本的に同一である。相違する点は、以下である。
【０１６９】
無線基地局３と子局５−ｋとの間は、制御チャネルと複数個の通話チャネルによって通信が行なわれる。制御チャネルの周波数帯および各通話チャネルの周波数帯は、メッセージ用の無線周波数帯（４．５ＧＨｚ以上５．５ＧＨｚ以下）のうちの互いに重ならない一部である。
【０１７０】
制御チャネルを通じて、通信開始要求メッセージ、通信開始許可メッセージ、アンテナ選択通知メッセージおよび通信終了要求メッセージの通信が行なわれ、通話チャネルを通じて、通信メッセージの通信が行なわれる。
【０１７１】
制御局２の通信制御部２４は、子局５−ｋから通信開始要求メッセージを受信したときに、使用可能な通話チャネルのうち未使用の通話チャネルがある場合のみ、そのうちの１つの通話チャネルを子局５−ｋとの通信に使用する通話チャネルとして選択するとともに、通信開始許可メッセージを送信する。
【０１７２】
また、制御局２の通信制御部２４は、受信したアンテナ選択通知メッセージに含まれるアンテナ局、および他の子局と別の通話チャネルでの通信に使用しているアンテナ局があればそのアンテナ局を通話チャネルでの通信に使用する全アンテナ局として、制御局２がアンテナ局４−ｍを制御するための制御信号用の周波数帯のうち、通話チャネルでの通信に使用する全アンテナ局用の周波数帯を含み、通話チャネルでの通信に使用しないアンテナ局用の周波数帯を含まない第２のスイッチ制御信号を生成する。
【０１７３】
（アンテナ局の構成）
図１６は、第２の実施形態のアンテナ局４−１の構成を表わす図である。他のアンテナ局４−２、４−３の構成もこれと同様である。
【０１７４】
図１６を参照して、アンテナ局４−１は、アンテナ４３と、電気／光（Ｅ／Ｏ）変換器４２と、光／電気（Ｏ／Ｅ）変換器４１と、第１のフィルタ部４９と、スイッチ制御部４６と、第１のスイッチ４４と、第２のスイッチ４７と、第２のフィルタ部４８とからなる。
【０１７５】
電気／光（Ｅ／Ｏ）変換器４２は、アンテナ４３で受信した子局５−ｋからの電気信号（メッセージ用の無線周波数帯の通信開始要求メッセージ、アンテナ選択通知メッセージ、通信終了要求メッセージまたは通信メッセージ）をメッセージ用の波長帯の光信号に変換して光ファイバ８に出力する。
【０１７６】
光／電気（Ｏ／Ｅ）変換器４１は、光ファイバ８を通じて送られてきた制御局２からの光信号を電気信号（制御信号用の周波数帯の第１のスイッチ制御信号または第２のスイッチ制御信号、メッセージ用の無線周波数帯の通信開始許可メッセージまたは通信メッセージ）に変換して、第１のフィルタ部４９に出力する。
【０１７７】
アンテナ４３は、子局５−ｋからメッセージ用の無線周波数帯の通信開始要求メッセージ、アンテナ選択通知メッセージ、通信終了要求メッセージまたは通信メッセージを受信し、また子局５−ｋへメッセージ用の無線周波数帯の通信開始許可メッセージまたは通信メッセージを送信する。
【０１７８】
第１のフィルタ部４９は、光／電気変換器４１から出力された電気信号のうち、制御信号用の周波数帯の信号、すなわち第１または第２のスイッチ制御信号をスイッチ制御部４６へ出力し、メッセージ用の無線周波数帯の信号、すなわち通信開始許可メッセージまたは通信メッセージをアンテナ４３へ出力する。
【０１７９】
スイッチ制御部４６は、第１のスイッチ制御信号に基づいて第１のスイッチ４４のオン／オフを制御する。すなわち、スイッチ制御部４６は、第１のフィルタ部４９から出力される制御信号用の周波数帯の信号から自局の周波数帯の成分のみを抽出する。スイッチ制御部４６は、自局の周波数帯の成分のみが抽出された信号のレベルが所定値以上の場合には、受信した第１のスイッチ制御信号が制御局２から受信する通信開始許可メッセージを子局５−ｋへ送信するように指示しているものと判断し、第１のスイッチ４４をオンにする。スイッチ制御部４６は、自局の周波数帯の成分のみが抽出された信号のレベルが所定値未満の場合には、受信した第１のスイッチ制御信号が制御局２から受信する通信開始許可メッセージを制御局２へ送信するように指示していないものと判断し第１のスイッチ４４をオフにする。
【０１８０】
また、スイッチ制御部４６は、第２のスイッチ制御信号に基づいて第２のスイッチ４７のオン／オフを制御する。すなわち、スイッチ制御部４６は、第１のフィルタ部４９から出力される制御信号用の周波数帯の信号から自局の周波数帯の成分のみを抽出する。スイッチ制御部４６は、自局の周波数帯の成分のみが抽出された信号のレベルが所定値以上の場合には、受信した第２のスイッチ制御信号が子局５−ｋから受信する通信メッセージを制御局２へ送信するように指示しているものと判断し、第２のスイッチ４７をオンにする。スイッチ制御部４６は、自局の周波数帯の成分のみが抽出された信号のレベルが所定値未満の場合には、受信した第２のスイッチ制御信号が子局５−ｋから受信する通信メッセージを制御局２へ送信するように指示していないものと判断し第２のスイッチ４７をオフにする。
【０１８１】
第１のスイッチ４４は、オンのときに第１のフィルタ部４９の出力（すなわち光／電気変換器４１の出力のうちの無線周波数帯の成分）をアンテナ４３へ出力するように切替える。第１のスイッチ４４は、オフのときに第１のフィルタ部４９の出力をアンテナ４３へ出力しないように切替える。
【０１８２】
第２のフィルタ部４８は、アンテナ４３から送られる信号のうち、通話チャネル用の周波数帯の信号を第２のスイッチ４７へ出力し、制御チャネル用の周波数帯の信号を電気／光変換器４２へ出力する。これにより、子局５−ｋから送信される制御チャネル用の無線周波数帯の通信開始要求メッセージ、制御チャネル用の無線周波数帯のアンテナ選択通知メッセージ、制御チャネル用の無線周波数帯の通信終了要求メッセージは、電気／光変換器４２へ出力されて、制御局２へ送られる。つまり、子局５−ｋからの制御チャネルのメッセージデータは必ず制御局２へ送られる。一方、子局５−ｋから送信される通話チャネル用の通信メッセージは第２のスイッチ４７へ出力される。したがって、子局５−ｋからの通話チャネルの通信メッセージは、第２のスイッチ４７がオンのときのみ、制御局２へ送られる。
【０１８３】
第２のスイッチ４７は、オンのときに第２のフィルタ部４８から送られた通話チャネル用の通信メッセージを電気／光変換器４２へ出力する。第２のスイッチ４７は、オフのときに第２のフィルタ部４８から送られた通話チャネル用の通信メッセージを電気／光変換器４２へ出力しない。
【０１８４】
（通信開始時の動作の概要）
第２の実施形態の通信システムの通信開始時の動作手順は、図６に示す第１の実施形態と同様であるので、ここでは説明を繰返さない。
【０１８５】
（ステップＳ１０１の通信開始要求メッセージの通信処理）
図１７は、第２の実施形態のステップＳ１０１の通信開始要求メッセージの通信処理の動作手順の詳細を表わすフローチャートである。
【０１８６】
図１７を参照して、まず、子局５−ｋの通信制御部５５は、子局のＩＤとして自局のＩＤを含む通信開始要求メッセージをデジタルデータの形態で生成する（ステップＳ１００１）。
【０１８７】
次に、子局５−ｋの無線部５３は、デジタルデータの通信開始要求メッセージを制御チャネル用の無線周波数帯の信号（無線信号）に変調して、アンテナ５２を通じて送信する（ステップＳ１００２）。
【０１８８】
次に、子局５−ｋが存在するゾーン６−ｍ内にあるアンテナ局４−ｍのアンテナ４３は、制御チャネル用の無線周波数帯の通信開始要求メッセージを受信して第２のフィルタ部４８に出力する（ステップＳ１００３）。
【０１８９】
次に、子局５−ｋが存在するゾーン６−ｍ内にあるアンテナ局４−ｍの第２のフィルタ部４８は、制御チャネル用の無線周波数帯の通信開始要求メッセージを電気／光変換器４２に出力する。（ステップＳ１００４）。
【０１９０】
次に、子局５−ｋが存在するゾーン６−ｍ内にあるアンテナ局４−ｍの電気／光変換器４２は、制御チャネル用の無線周波数帯の通信開始要求メッセージを光信号に変換して、光ファイバ８を通じて制御局２に送信する（ステップＳ１００５）。
【０１９１】
次に、制御局２の光／電気変換器２３は、光ファイバ８を通じて受信した通信開始要求メッセージを表わす光信号を受信して、電気信号（無線信号）に変換して、制御チャネル用の無線周波数帯の通信開始要求メッセージを生成する（ステップＳ１００６）。
【０１９２】
次に、制御局２の無線部２１は、制御チャネル用の無線周波数帯の通信開始要求メッセージをもとのデジタルデータに復調する（ステップＳ１００７）。
【０１９３】
なお、子局５−ｋが存在するゾーン６−ｍ外にあるアンテナ局もまた通信開始要求メッセージを受信するが、受信した通信開始要求メッセージの受信レベルが低いため、通信開始要求メッセージをノイズ信号として制御局２へ伝送する。
【０１９４】
（ステップＳ１０２の通信開始許可メッセージの通信および子局での通信開始許可メッセージの受信レベル検出処理）
図１８は、第２の実施形態のステップＳ１０２の通信開始許可メッセージの通信処理および子局での通信開始許可メッセージの受信レベルの検出処理の動作手順の詳細を表わすフローチャートである。
【０１９５】
図１８を参照して、制御局２の通信制御部２４は、空いている通話チャネルがない場合には（ステップＳ１１０１でＹＥＳ）、処理を終了し、空いている通話チャネルがある場合には、そのうちの１つを選択する（ステップＳ１１０２）。
【０１９６】
次に、制御局２の通信制御部２４は、未選択のアンテナ局４−ｍを選択する（ステップＳ１１０３）。
【０１９７】
次に、制御局２の通信制御部２４は、選択したアンテナ局のみが通信開始許可メッセージを子局５−ｋへ送信するように指示するために、制御局２がアンテナ局４−ｍを制御するための制御信号用の周波数帯のうち、選択されたアンテナ局用の周波数帯を含み、他のアンテナ局用の周波数帯を含まない第１のスイッチ制御信号を生成する（ステップＳ１１０４）。
【０１９８】
次に、制御局２の電気／光変換器２２は、第１のスイッチ制御信号を光信号に変換して、光ファイバ８を通じてすべてのアンテナ局４−ｍに送信する（ステップＳ１１０５）。
【０１９９】
次に、各アンテナ局４−ｍの光／電気変換器４１は、光ファイバ８を通じて光信号の第１のスイッチ制御信号を受信して、電気信号に変換して第１のフィルタ部４９に出力する（ステップＳ１１０６）。
【０２００】
次に、各アンテナ局４−ｍの第１のフィルタ部４９は、変換された電気信号のうち、制御局２がアンテナ局４−ｍを制御するための制御信号用の周波数帯の信号をスイッチ制御部４６へ出力する。これによって、受信した信号に第１のスイッチ制御信号以外の他の信号（つまり、無線信号）が周波数多重化されている場合にも、第１のスイッチ制御信号のみがスイッチ制御部４６へ送られることになる（ステップＳ１１０７）。
【０２０１】
次に、各アンテナ局４−ｍのスイッチ制御部４６は、制御信号用の周波数帯の信号から自局の周波数帯の成分のみを抽出し、自局の周波数帯の成分のみが抽出された信号のレベルが所定値以上の場合には（ステップＳ１１０８でＹＥＳ）、受信した第１のスイッチ制御信号が制御局２から受信する通信開始許可メッセージを子局５−ｋへ送信するように指示しているものと判断し、第１のスイッチ４４を所定時間だけオンにする（ステップＳ１１０９）。一方、各アンテナ局４−ｍのスイッチ制御部４６は、自局の周波数帯の成分のみが抽出された信号のレベルが所定値未満の場合には（ステップＳ１１０８でＮＯ）、受信した第１のスイッチ制御信号が制御局２から受信する通信開始許可メッセージを子局５−ｋへ送信するように指示していないものと判断し、第１のスイッチ４４をオフにする（ステップＳ１１１０）。
【０２０２】
その後、制御局２の通信制御部２４は、子局のＩＤとして受信した通信開始要求メッセージに含まれる子局のＩＤを含み、アンテナ局のＩＤとして選択したアンテナ局のＩＤを含み、かつ通話チャネルのＩＤとしてステップＳ１１０２で選択した通話チャネルのＩＤを含む通信開始許可メッセージをデジタルデータの形態で生成する（ステップＳ１１１１）。
【０２０３】
次に、制御局２の無線部２１は、デジタルデータの通信開始許可メッセージを制御チャネル用の無線周波数帯の信号（無線信号）に変調する（ステップＳ１１１２）。
【０２０４】
次に、制御局２の電気／光変換器２２は、制御チャネル用の無線周波数帯の通信開始許可メッセージを光信号に変換して、光ファイバ８を通じてすべてのアンテナ局４−ｍに送信する（ステップＳ１１１３）。
【０２０５】
次に、各アンテナ局４−ｍの光／電気変換器４１は、光ファイバ８を通じて通信開始許可メッセージを表わす光信号を受信して、電気信号に変換して第１のフィルタ部４９に出力する（ステップＳ１１１４）。
【０２０６】
次に、各アンテナ局４−ｍの第１のフィルタ部４９は、変換された電気信号のうち、制御チャネル用の周波数帯を含むメッセージ用の無線周波数帯の信号を第１のスイッチ４４へ出力する（ステップＳ１１１５）。
【０２０７】
各アンテナ局４−ｍのアンテナ３は、第１のスイッチ４４がオンの場合には（ステップＳ１１１６でＹＥＳ）、制御チャネル用の無線周波数帯の通信開始許可メッセージを受けて子局５−ｋに送信する（ステップＳ１１１７）。一方、各アンテナ局４−ｍのアンテナ４３は、第１のスイッチ４４がオフの場合には（ステップＳ１１１６でＮＯ）、制御チャネル用の無線周波数帯の通信開始許可メッセージを受けず、子局５−ｋに送信しない。
【０２０８】
次に、子局５−ｋの無線部５３は、アンテナ５２で受信した制御チャネル用の無線周波数帯の通信開始許可メッセージをもとのデジタルデータの形式に変換する（ステップＳ１１１８）。
【０２０９】
次に、子局５−ｋの通信制御部５５は、受信した通信開始許可メッセージに含まれる子局のＩＤが自局のＩＤである場合で（ステップＳ１１１９でＹＥＳ）、受信した通信開始許可メッセージに含まれるＩＤのアンテナ局のＲＳＳＩを未だ保持していない場合には（ステップＳ１１２０でＹＥＳ）、ＲＳＳＩ検出部５４によって検出されたＲＳＳＩを受け取って、アンテナ局のＩＤと対応させて保持する（ステップＳ１１２１）。また、通信制御部５５は、受信した通信開始許可メッセージに含まれる通話チャネルのＩＤを保持する（ステップＳ１１２２）。
【０２１０】
制御局２の通信制御部２４は、すべてのアンテナ局が選択済みの場合には（ステップＳ１１２３でＹＥＳ）、終了し、未選択のアンテナ局がある場合には（ステップＳ１１２３でＮＯ）、ステップＳ１１０３に戻って、ステップＳ１１０３からの処理を繰返す。
【０２１１】
（ステップＳ１０３の子局が無線基地局との通信に使用するアンテナ局の選択処理）
第２の実施形態のステップＳ１０３の子局が無線基地局との通信に使用するアンテナ局の選択処理の動作手順の詳細は、図９に示す第１の実施形態と同一であるので、ここでは説明を繰返さない。
【０２１２】
（ステップＳ１０４のアンテナ選択通知メッセージの通信処理）
図１９は、第２の実施形態のステップＳ１０４のアンテナ選択通知メッセージの通信処理の動作手順の詳細を表わすフローチャートである。
【０２１３】
図１９を参照して、まず、子局５−ｋの通信制御部５５は、子局のＩＤとして自局のＩＤを含み、かつアンテナ局のＩＤとしてステップＳ１０３で選択したアンテナ局のＩＤを含むアンテナ選択通知メッセージをデジタルデータの形態で生成する（ステップＳ１２０１）。
【０２１４】
次に、子局５−ｋの無線部５３は、制御チャネル用の無線周波数帯の信号（無線信号）に変調して、アンテナ５２を通じて送信する（ステップＳ１２０２）。
【０２１５】
次に、子局５−ｋが存在するゾーン６−ｍ内にあるアンテナ局４−ｍのアンテナ４３は、制御チャネル用の無線周波数帯のアンテナ選択通知メッセージを受信する（ステップＳ１２０３）。
【０２１６】
次に、子局５−ｋが存在するゾーン６−ｍ内にあるアンテナ局４−ｍの第２のフィルタ部４８は、制御チャネル用の無線周波数帯のアンテナ選択通知メッセージを電気／光変換器４２に出力する（ステップＳ１２０４）。
【０２１７】
次に、子局５−ｋが存在するゾーン６−ｍ内にある電気気／光変換器４２は、制御チャネル用の無線周波数帯のアンテナ選択通知メッセージを光信号に変換して、光ファイバ８を通じて制御局２に送信する（ステップＳ１２０５）。
【０２１８】
次に、制御局２の光／電気変換器２３は、光ファイバ８を通じて受信したアンテナ選択通知メッセージを表わす光信号を受信して、電気信号（無線信号）に変換して、制御チャネル用の無線周波数帯のアンテナ選択通知メッセージを生成する（ステップＳ１２０６）。
【０２１９】
次に、制御局２の無線部２１は、制御チャネル用の無線周波数帯のアンテナ選択通知メッセージをもとのデジタルデータに復調する（ステップＳ１２０７）。
【０２２０】
なお、子局５−ｋが存在するゾーン６−ｍ外にあるアンテナ局もまたアンテナ選択通知メッセージを受信するが、受信したアンテナ選択通知メッセージの受信レベルが低いため、アンテナ選択通知メッセージをノイズ信号として制御局２へ伝送する。
【０２２１】
（ステップＳ１０５の子局から受信する信号の制御局へ送信の切替え設定処理）
図２０は、第２の実施形態のステップＳ１０５のアンテナ局における、子局から受信する信号を制御局へ送信するか否かの切替え設定処理の動作手順の詳細を表わすフローチャートである。
【０２２２】
図２０を参照して、制御局２の通信制御部２４は、子局５−ｋで今回選択されたアンテナ局および既に別の通話チャネルで通信中の別の子局によって選択されたアンテナ局（以下、通話チャネルでの通信に使用する全アンテナ局）があればそれらのアンテナ局のみが子局から受信する通信メッセージを制御局２へ送信するように指示するために、制御局２がアンテナ局４−ｍを制御するための制御信号用の周波数帯のうち、通話チャネルでの通信に使用する全アンテナ局用の周波数帯を含み、通話チャネルでの通信に使用しないアンテナ局用の周波数帯を含まない第２のスイッチ制御信号を生成する（ステップＳ１３０１）。
【０２２３】
次に、制御局２の通信制御部２４は、通信履歴テーブルにおいて、子局５−ｋで今回選択されたアンテナ局の通信回数を１だけインクリメントする（ステップＳ１３０２）。
【０２２４】
次に、制御局２の電気／光変換器２２は、第２のスイッチ制御信号を光信号に変換して、光ファイバ８を通じてすべてのアンテナ局４−ｍに送信する（ステップＳ１３０３）。
【０２２５】
次に、各アンテナ局４−ｍの光／電気変換器４１は、光ファイバ８を通じて光信号の第２のスイッチ制御信号を受信して、電気信号に変換して第１のフィルタ部４９に出力する（ステップＳ１３０４）。
【０２２６】
次に、各アンテナ局４−ｍの第１のフィルタ部４９は、変換された電気信号のうち、制御局２がアンテナ局４−ｍを制御するための制御信号用の周波数帯の信号をスイッチ制御部４６へ出力する。これによって、受信した信号に第２のスイッチ制御信号以外の他の信号（つまり、無線信号）が周波数多重化されている場合にも、第２のスイッチ制御信号のみがスイッチ制御部４６へ送られることになる（ステップＳ１３０５）。
【０２２７】
次に、各アンテナ局４−ｍのスイッチ制御部４６は、制御信号用の周波数帯の信号から自局の周波数帯の成分のみを抽出し、自局の周波数帯の成分のみが抽出された信号のレベルが所定値以上の場合には（ステップＳ１３０６でＹＥＳ）、受信した第２のスイッチ制御信号が子局５−ｋから受信する通信メッセージを制御局２へ送信するように指示しているものと判断し、第２のスイッチ４７をオンにする（ステップＳ１３０７）。一方、各アンテナ局４−ｍのスイッチ制御部４６は、自局の周波数帯の成分のみが抽出された信号のレベルが所定値未満の場合には（ステップＳ１３０６でＮＯ）、受信した第２のスイッチ制御信号が子局５−ｋから受信する通信メッセージを制御局２へ送信するように指示していないものと判断し、第２のスイッチ４７をオフにする（ステップＳ１３０８）。
【０２２８】
（通信中の動作）
次に、第２の実施形態の通信システムにおいて、子局５−ｋと無線基地局３との間の通信中の動作、つまり通信メッセージの交換時の動作について説明する。
【０２２９】
図２１は、第２の実施形態の通信システムの通信中の動作手順を表わすフローチャートである。
【０２３０】
図２１を参照して、まず、子局５−ｋの通信制御部５５は、子局のＩＤとして自局のＩＤを含む通信メッセージをデジタルデータの形態で生成する（ステップＳ１４０１）。
【０２３１】
次に、子局５−ｋの無線部５３は、デジタルデータの形態の通信メッセージを保持している通知されたＩＤの通話チャネル用の無線周波数帯の信号（無線信号）に変調して、アンテナ５２を通じて送信する（ステップＳ１４０２）。
【０２３２】
次に、子局５−ｋが存在するゾーン６−ｍ内にあるアンテナ局４−ｍのアンテナ４３は、通話チャネル用の無線周波数帯の通信メッセージを受信する（ステップＳ１４０３）。
【０２３３】
次に、子局５−ｋが存在するゾーン６−ｍ内にあるアンテナ局４−ｍの第２のフィルタ部４８は、通話チャネル用の無線周波数帯の通話メッセージをオン状態の第２のスイッチ４７へ出力する。第２のスイッチ４７は、オン状態にあるため、受けた通話チャネル用の無線周波数帯の通話メッセージを出力する。なお、ここで、子局５−ｋが存在するゾーン６−ｍ外にあって、別の通話チャネルでの通信に使用されていないアンテナ局の第２のスイッチ４７がオフ状態のため、ノイズ成分を出力しない（ステップＳ１４０４）。
【０２３４】
次に、子局５−ｋが存在するゾーン６−ｍ内にあるアンテナ局４−ｍの電気／光変換器４２は、通話チャネル用の無線周波数帯の通信メッセージを光信号に変換して、光ファイバ８を通じて制御局２に送信する（ステップＳ１４０５）。
【０２３５】
次に、制御局２の光／電気変換器２３は、光ファイバ８を通じて通信メッセージを表わす光信号を受信し、電気信号（無線信号）に変換して、通話チャネル用の無線周波数帯の通信メッセージを生成する（ステップＳ１４０６）。
【０２３６】
次に、制御局２の無線部２１は、通話チャネル用の無線周波数帯の通信メッセージをもとのデジタルデータに復調する（ステップＳ１４０７）。
【０２３７】
次に、制御局２の通信制御部２４は、得られた子局５−ｋからの通信メッセージに基づいて各種の処理を行なう（ステップＳ１４０８）。
【０２３８】
次に、制御局２の通信制御部２４は、子局５−ｋへ送信する通信メッセージをデジタルデータの形態で生成する（ステップＳ１４０９）。
【０２３９】
次に、制御局２の無線部２１は、デジタルデータの通信メッセージを割り当てた通話チャネル用の無線周波数帯の信号（無線信号）に変調する（ステップＳ１４１０）。
【０２４０】
次に、制御局２の電気／光変換器２２は、通話チャネル用の無線周波数帯の通信メッセージを光信号に変換して、光ファイバ８を通じてすべてのアンテナ局４−ｍに送信する（ステップＳ１４１１）。
【０２４１】
次に、各アンテナ局４−ｍの光／電気変換器４１は、光ファイバ８を通じて通信メッセージを表わす光信号を受信し、電気信号に変換して第１のフィルタ部４９に出力する（ステップＳ１４１２）。
【０２４２】
次に、各アンテナ局４−ｍの第１のフィルタ部４９は、変換された電気信号のうち、制御チャネル用の周波数帯を含むメッセージ用の無線周波数帯の信号をアンテナ４３へ出力する。これよって、受信した信号に通信メッセージ以外の他の信号（つまり、第１および第２のスイッチ制御信号）が周波数多重化されている場合にも、通信メッセージのみがアンテナ４３へ送られることになる（ステップＳ１４１３）。
【０２４３】
次に、各アンテナ局４−ｍのアンテナ４３は、通話チャネル用の無線周波数帯の通信メッセージを子局５−ｋに送信する（ステップＳ１４１４）。
【０２４４】
次に、子局５−ｋのアンテナ５２は、自局が存在するゾーン内に配置されているアンテナ局４−ｍから送信された通話チャネル用の無線周波数帯の通信メッセージを受信する（ステップＳ１４１５）。
【０２４５】
次に、子局５−ｋの無線部５３は、受信したメッセージ用の無線周波数帯の通信メッセージをもとのデジタルデータの形式に復調する（ステップＳ１４１６）。
【０２４６】
次に、子局５−ｋの通信制御部５５は、得られた無線基地局３からの通信メッセージに基づいて各種の処理を行なう（ステップＳ１４１７）。
【０２４７】
（通信終了時の動作）
次に、第２の実施形態の通信システムにおいて、子局５−ｋと無線基地局３との間の通信終了時の動作について説明する。
【０２４８】
図２２は、第２の実施形態の通信システムの通信終了時の動作手順を表わすフローチャートである。
【０２４９】
図２２を参照して、まず、子局５−ｋの通信制御部５５は、子局のＩＤとして自局のＩＤを含む通信終了要求メッセージをデジタルデータの形態で生成する（ステップＳ１５０１）。
【０２５０】
次に、子局５−ｋの無線部５３は、デジタルデータの通信終了要求メッセージを制御チャネル用の無線周波数帯の信号（無線信号）に変調して、アンテナ５２を通じて送信する（ステップＳ１５０２）。
【０２５１】
次に、子局５−ｋが存在するゾーン６−ｍ内にあるアンテナ局４−ｍのアンテナ４３は、制御チャネル用の無線周波数帯の通信終了要求メッセージを受信して第２のフィルタ部４８に出力する（ステップＳ１５０３）。
【０２５２】
次に、子局５−ｋが存在するゾーン６−ｍ内にあるアンテナ局４−ｍの第２のフィルタ部４８は、制御チャネル用の無線周波数帯の通信終了要求メッセージを電気／光変換器４２に出力する。（ステップＳ１５０４）。
【０２５３】
次に、子局５−ｋが存在するゾーン６−ｍ内にあるアンテナ局４−ｍの電気／光変換器４２は、制御チャネル用の無線周波数帯の通信終了要求メッセージを光信号に変換して、光ファイバ８を通じて制御局２に送信する（ステップＳ１５０５）。
【０２５４】
次に、制御局２の光／電気変換器２３は、光ファイバ８を通じて受信した通信終了要求メッセージを表わす光信号を受信して、電気信号（無線信号）に変換して、制御チャネル用の無線周波数帯の通信終了要求メッセージを生成する（ステップＳ１５０６）。
【０２５５】
次に、制御局２の無線部２１は、制御チャネル用の無線周波数帯の通信終了要求メッセージをもとのデジタルデータに復調する（ステップＳ１５０７）。
【０２５６】
次に、制御局２の通信制御部２４は、通信中の子局５−ｋとの通信を終了する（ステップＳ１５０８）。
【０２５７】
さらに、制御局２の通信制御部２４は、ステップＳ１５０２で通信を終了した子局５−ｋが無線基地局３との通信のために使用していたアンテナ局を他の子局が通信のために使用している場合には（ステップＳ１５０９でＹＥＳ）、処理を終了する。
【０２５８】
制御局２の通信制御部２４は、ステップＳ１５０２で通信を終了した子局５−ｋが無線基地局３との通信のために使用していたアンテナ局を他の子局が通信のために使用していない場合には（ステップＳ１５０９でＮＯ）、通話チャネルで使用する全アンテナ局からそのアンテナ局を除いたものを新たな通話チャネルで使用する全アンテナ局として、制御局２がアンテナ局４−ｍを制御するための制御信号用の周波数帯のうち、新たな通話チャネルでの通信に使用する全アンテナ局用の周波数帯を含み、他のアンテナ局用の周波数帯を含まない第２のスイッチ制御信号を生成する（ステップＳ１５１０）。
【０２５９】
次に、制御局２の電気／光変換器２２は、第２のスイッチ制御信号を光信号に変換して、光ファイバ８を通じてすべてのアンテナ局４−ｍに送信する（ステップＳ１５１１）。
【０２６０】
次に、各アンテナ局４−ｍの光／電気変換器４１は、光ファイバ８を通じて光信号の第２のスイッチ制御信号を受信して、電気信号に変換して第１のフィルタ部４９に出力する（ステップＳ１５１２）。
【０２６１】
次に、各アンテナ局４−ｍの第１のフィルタ部４９は、変換された電気信号のうち、制御局２がアンテナ局４−ｍを制御するための制御信号用の周波数帯の信号をスイッチ制御部４６へ出力する。これによって、受信した信号に第２のスイッチ制御信号以外の他の信号（つまり、無線信号）が周波数多重化されている場合にも、第２のスイッチ制御信号のみがスイッチ制御部４６へ送られることになる（ステップＳ１５１３）。
【０２６２】
次に、各アンテナ局４−ｍのスイッチ制御部４６は、制御信号用の周波数帯の信号から自局の周波数帯の成分のみを抽出し、自局の周波数帯の成分のみが抽出された信号のレベルが所定値以上の場合には（ステップＳ１５１４でＹＥＳ）、受信した第２のスイッチ制御信号が子局５−ｋから受信する通信メッセージを制御局２へ送信するように指示しているものと判断し、第２のスイッチ４７をオンにする（ステップＳ１５１５）。一方、各アンテナ局４−ｍのスイッチ制御部４６は、自局の周波数帯の成分のみが抽出された信号のレベルが所定値未満の場合には（ステップＳ１５１４でＮＯ）、受信した第２のスイッチ制御信号が子局５−ｋから受信する通信メッセージを制御局２へ送信するように指示していないものと判断し、第２のスイッチ４７をオフにする（ステップＳ１５１６）。
【０２６３】
（具体例）
次に、本発明の第２の実施形態の通信システムの通信開始動作の具体例を説明する。
【０２６４】
図２３は、第２の実施形態の通信システムの通信開始時の動作の具体例を説明するための図である。
【０２６５】
図２３を参照して、子局５−２は、アンテナ局４−１を用いて通話チャネル“Ｃ１”で無線基地局３と既に通信を行なっているものとし、新たに子局５−４が無線基地局３との通信を開始する場合について説明する。
【０２６６】
子局５−４の通信制御部５５は、子局のＩＤとして自局のＩＤである“Ｍ４”含む通信開始要求メッセージ“ＳＲＱ  Ｍ４”をデジタルデータの形態で生成し、無線部５３は、デジタルデータの通信開始要求メッセージを制御チャネル用の無線周波数帯の信号（無線信号）に変調して、アンテナ５２を通じて送信する（（１）に示す）。
【０２６７】
子局５−４が存在するゾーン６−２内にあるアンテナ局４−２のアンテナ４３は、制御チャネル用の無線周波数帯の通信開始要求メッセージを受信して第２のフィルタ部４８に出力し、第２のフィルタ部４８は、通信開始要求メッセージを電気／光変換器４２に出力する。電気／光変換器４２は、制御チャネル用の無線周波数帯の通信開始要求メッセージを光信号に変換して、光ファイバ８を通じて制御局２に送信する（（１）に示す）。
【０２６８】
制御局２の光／電気変換器２３は、光ファイバ８を通じて受信した通信開始要求メッセージを表わす光信号を受信して、電気信号（無線信号）に変換して、制御チャネル用の無線周波数帯の通信開始要求メッセージを生成し、無線部２１は、制御チャネル用の無線周波数帯の通信開始要求メッセージをもとのデジタルデータに復調する。
【０２６９】
次に、制御局２の通信制御部２４は、空いている通話チャネルである“Ｃ２”を選択する。まず、アンテナ局４−１を選択する。通信制御部２４は、選択したアンテナ局４−１のみが通信開始許可メッセージを子局５−４へ送信するように指示するために、選択されたアンテナ局４−１用の周波数帯を含み、他のアンテナ局４−２、４−２用の周波数帯を含まない第１のスイッチ制御信号を生成し、電気／光変換器２２は、第１のスイッチ制御信号を光信号に変換して、光ファイバ８を通じてすべてのアンテナ局４−１、４−２、４−３に送信する（（２−１−１）に示す）。
【０２７０】
各アンテナ局４−ｍ（ｋ＝１〜３）の光／電気変換器４１は、光ファイバ８を通じて光信号の第１のスイッチ制御信号を受信して、電気信号に変換して第１のフィルタ部４９に出力し、第１のフィルタ部４９は、変換された電気信号のうち、制御信号用の周波数帯の信号をスイッチ制御部４６へ出力する。スイッチ制御部４６は、制御信号用の周波数帯の信号から自局の周波数帯の成分のみを抽出する（（２−１−１）に示す）。
【０２７１】
アンテナ局４−１のスイッチ制御部４６は、自局の周波数帯の成分のみが抽出された信号のレベルが所定値以上であるので、第１のスイッチ４４を所定時間だけ、オンにする（（２−１−２−１）に示す）。アンテナ局４−１のスイッチ制御部４６は、自局の周波数帯の成分のみが抽出された信号のレベルが所定値未満であるので、第１のスイッチ４４をオフにする（（２−１−２−２）に示す）。アンテナ局４−２のスイッチ制御部４６は、自局の周波数帯の成分のみが抽出された信号のレベルが所定値未満であるので、第１のスイッチ４４をオフにする（（２−１−２−３）に示す）。
【０２７２】
次に、制御局２の通信制御部２４は、子局のＩＤとして受信した通信開始要求メッセージに含まれる子局のＩＤを含み、アンテナ局のＩＤとして選択したアンテナ局のＩＤを含み、かつ通話チャネルのＩＤとして選択した通話チャネルのＩＤを含む通信開始許可メッセージ“ＯＫ  Ｍ４  Ａ１  Ｃ２”をデジタルデータの形態で生成し、無線部２１は、デジタルデータの通信開始許可メッセージを制御チャネル用の無線周波数帯の信号（無線信号）に変調する。電気／光変換器２２は、制御チャネル用の無線周波数帯の通信開始許可メッセージを光信号に変換して、光ファイバ８を通じてすべてのアンテナ局４−１、４−２、４−３に送信する（（２−１−３）に示す）。
【０２７３】
次に、各アンテナ局４−ｍの光／電気変換器４１は、光ファイバ８を通じて通信開始許可メッセージを表わす光信号を受信して、電気信号に変換して第１のフィルタ部４９に出力し、第１のフィルタ部４９は、変換された電気信号のうち、制御チャネルの周波数帯を含むメッセージ用の無線周波数帯の信号を第１のスイッチ４４へ出力する（（２−１−３）に示す）。
【０２７４】
アンテナ局４−１のアンテナ４３は、第１のスイッチ４４がオンであるので、制御チャネル用の無線周波数帯の通信開始許可メッセージを受けて子局５−４に送信する（（２−１−３）に示す）。アンテナ局４−２のアンテナ４３は、第１のスイッチ４４がオフであるので、制御チャネル用の通信開始許可メッセージを受けず、子局５−４に送信しない。アンテナ局４−３のアンテナ４３は、第１のスイッチ４４がオフであるので、制御チャネル用の通信開始許可メッセージを受けず、子局５−４に送信しない。
【０２７５】
次に、アンテナ局４−１について（２−１−１）〜（２−１−３）を行なったときと同様にして、アンテナ局４−２について（２−２−１）〜（２−２−３）の処理を行ない、アンテナ局４−３について（２−３−１）〜（２−３−３）の処理を行なう。
【０２７６】
次に、子局５−４の通信制御部５５は、受信電界強度（ＲＳＳＩ）が最大である通信開始許可メッセージを送信したアンテナ局がアンテナ局４−２であると特定し、子局５−４の通信制御部５５は、特定したアンテナ局４−２を無線基地局３との通信のために使用するアンテナ局として選択する（（５）に示す）。
【０２７７】
次に、子局５−４の通信制御部５５は、子局のＩＤとして自局のＩＤを含み、かつアンテナ局のＩＤとして選択したアンテナ局４−２のＩＤを含んだアンテナ選択通知メッセージ“ＳＥＬ  Ｍ４  Ａ２”をデジタルデータの形態で生成し、子局５−４の無線部５３は、デジタルデータのアンテナ選択通知メッセージを制御チャネル用の無線周波数帯の信号（無線信号）に変調して、アンテナ５２を通じて送信する（（６）に示す）。
【０２７８】
次に、子局５−４が存在するゾーン６−２内にあるアンテナ局４−２のアンテナ４３は、制御チャネル用の無線周波数帯のアンテナ選択通知メッセージを受信し、電気／光変換器４２は、制御チャネル用の無線周波数帯のアンテナ選択通知メッセージを光信号に変換して、光ファイバ８を通じて制御局２に送信する（（６）に示す）。
【０２７９】
制御局２の光／電気変換器２３は、光ファイバ８を通じて受信したアンテナ選択通知メッセージを表わす光信号を受信して、電気信号（無線信号）に変換して、制御チャネル用の無線周波数帯のアンテナ選択通知メッセージを生成し、無線部２１は、制御チャネル用の無線周波数帯のアンテナ選択通知メッセージをもとのデジタルデータに復調する（（６）に示す）。
【０２８０】
次に、制御局２の通信制御部２４は、制御信号用の周波数帯のうち、受信したアンテナ選択通知メッセージにＩＤが含まれるアンテナ局４−２および他の子局５−２と別の通話チャネルでの通信に使用しているアンテナ局４−１の周波数帯を選択して、選択されたアンテナ局４−１および４−２用の周波数帯を含み、アンテナ局４−３用の周波数帯を含まない第２のスイッチ制御信号を生成し、電気／光変換器２２は、第２のスイッチ制御信号を光信号に変換して、光ファイバ８を通じてすべてのアンテナ局４−１，４−２，４−３に送信する（（７）に示す）。
【０２８１】
各アンテナ局４−ｍ（ｋ＝１〜３）の光／電気変換器４１は、光ファイバ８を通じて光信号の第２のスイッチ制御信号を受信して、第２のスイッチ制御信号を電気信号に変換して第１のフィルタ部４９に出力し、第１のフィルタ部４９は、変換された電気信号のうち、制御信号用の周波数帯の信号をスイッチ制御部４６へ出力する。スイッチ制御部４６は、制御信号用の周波数帯の信号から自局の周波数帯の成分のみを抽出する（（７）に示す）。
【０２８２】
アンテナ局４−１のスイッチ制御部４６は、自局の周波数帯の成分のみが抽出された信号のレベルが所定値以上であるので、第２のスイッチ４７をオンにする（（８−１）に示す）。アンテナ局４−２のスイッチ制御部４６は、自局の周波数帯の成分のみが抽出された信号のレベルが所定値以上であるので、第２のスイッチ４７をオンにする（（８−２）に示す）。アンテナ局４−３のスイッチ制御部４６は、自局の周波数帯の成分のみが抽出された信号のレベルが所定値未満であるので、第２のスイッチ４７をオフにする（（８−３）に示す）。
【０２８３】
以上のように、第２の実施形態の通信システムのアンテナ制御方法によれば、第１の実施形態と同様に、簡易な方法で流合雑音を抑制することができるとともに、アンテナ局に対する課金などの処理も容易に行なうことができる。
【０２８４】
さらに、第２の実施形態では、制御チャネルと通話チャネルを用いて通信を行なう場合でも、子局からの制御チャネルのデータは常に制御局に送られる一方、子局からの通話チャネルのデータは、現に通話チャネルでの通信に用いられているアンテナ局を介してしか送られない。したがって、子局と無線基地局との間の通信確立などの制御は常に有効としつつ、通信メッセージの通信に使用されていないアンテナ局から通話チャネルの周波数を含むノイズが光信号に変換されて光ファイバに送出されないので、流合雑音を従来よりも抑制することができる。
【０２８５】
（変形例）
本発明は、上記の実施の形態に限定されるものではなく、たとえば以下のような変形例を含む。
【０２８６】
（１）  スイッチについて
本発明の第１の実施形態では、制御局への上りの信号を制御するために、アンテナ局においてオンのときに、電気／光変換器４２と光ファイバ８との接続を閉じ、オフのときに電気／光変換器４２と光ファイバ８との接続を開く第２のスイッチ４７を用いたが、これとは別のスイッチを用いてもよい。たとえば、アンテナ局において、オンのときに電気／光変換器４２を動作させ、オフのときに電気／光変換器４２を停止させるスイッチを設けてもよい。
【０２８７】
また、本発明の第１および第２の実施形態では、アンテナ局においてオンのときに、光／電気変換器４１の出力とアンテナ４３との接続を所定時間閉じ、オフのときに光／電気変換器４１の出力とアンテナ４３との接続を所定時間開く第１のスイッチ４４を用いたが、これとは別のスイッチを用いてもよい。たとえば、アンテナ局において、オンのとき光／電気変換器４１を所定時間動作させ、オフのときに光／電気変換器４１を所定時間停止させるスイッチを用いてもよい。
【０２８８】
（２）  フィルタ部とスイッチ制御部について
本発明の実施形態では、フィルタ部４５または第１のフィルタ部４９が、変換された電気信号のうち制御信号用の周波数帯の信号をスイッチ制御部４６へ出力し、スイッチ制御部４６が、制御信号用の周波数帯の信号から自局の周波数帯の成分のみを抽出し、自局の周波数帯の成分のみが抽出された信号のレベルが所定値以上であるか否かを判定したが、これに限定するものではない。たとえば、フィルタ部４５または第１のフィルタ部４９が、変換された電気信号のうち自局の周波数帯の成分のみを抽出してスイッチ制御部４６へ出力し、スイッチ制御部４６が自局の周波数帯の成分のみが抽出された信号のレベルが所定値以上であるか否かを判定するものとしてもよい。
【０２８９】
（３）  波長多重について
本発明の実施形態では、制御局２の通信制御部２４は、特定したアンテナ局のみが子局から受信する通信メッセージを制御局２へ送信するように指示するために、制御局２がアンテナ局を制御するための制御信号用の周波数帯（無線周波数帯とは異なる周波数帯）のうち、選択した１個または複数個のアンテナ局用の周波数帯を含み、他のアンテナ局用の周波数帯を含まない第１または第２のスイッチ制御信号を生成したが、これに限定するものではない。
【０２９０】
たとえば制御局２の通信制御部２４が、メッセージ用の無線周波数帯と同一の周波数帯の第１または第２のスイッチ制御信号を生成し、制御局２の電気／光変換器２２が、制御信号用の光の波長帯（メッセージ用の光の波長帯とは異なる波長帯）のうち、選択した１個または複数個のアンテナ局用の波長帯を選択して、選択されたアンテナ局用の波長帯を含み、他のアンテナ局用の波長帯を含まない光信号に変調する。たとえば、メッセージ用の光の波長帯として、１．３０以上１．３５未満ミクロンとし、制御信号用の光の波長帯を１．５３〜１．５８ミクロンとし、アンテナ局４−１（ＩＤ＝Ａ１）用の光の波長帯を１．５３以上１．５４未満ミクロン、アンテナ局４−２（ＩＤ＝Ａ２）用の光の波長帯を１．５４以上１．５５未満ミクロン、アンテナ局４−３（ＩＤ＝Ａ３）用の光の波長帯を１．５５以上１．５６未満ミクロンとする。
【０２９１】
図２４は、メッセージデータと制御信号とを光波長多重する場合のアンテナ局の構成を表わす図である。
【０２９２】
図２４を参照して、アンテナ４３、第１のスイッチ４４、第２のスイッチ４７、光／電気変換器４１および電気／光変換器４２は、図４に示すものと同一なので説明は繰返さない。
【０２９３】
フィルタ部４５は、光ファイバ８を通じて光信号のスイッチ制御信号を受信して、制御信号用の波長帯の光信号をスイッチ制御部４６へ出力し、メッセージ用の波長帯の光信号を光／電気変換器４１に出力する。これによって、受信した信号に第１または第２のスイッチ制御信号以外の他の信号（つまり、無線信号）が光波長多重化されている場合にも、第１または第２のスイッチ制御信号のみがスイッチ制御部４６へ送られることになる。
【０２９４】
スイッチ制御部４６は、制御信号用の波長帯の光信号から自局の光の波長帯の成分のみを抽出し、自局の光の波長帯の成分のみが抽出された光信号のレベルが所定値以上の場合には、第１のスイッチ４４または第２のスイッチ４７をオンにする。一方、スイッチ制御部４６は、自局の光の波長帯の成分のみが抽出された光信号のレベルが所定値未満の場合には、第１のスイッチ４４または第２のスイッチ４７をオフにする。
【０２９５】
（４）  制御信号による指示方法について
本発明の実施形態および変形例（３）では、制御局２が、選択したアンテナ局用の周波数帯を含み、他のアンテナ局用の周波数帯を含まない、または選択されたアンテナ局用の光の波長帯を含み、他のアンテナ局用の光の波長帯を含まない第１または第２のスイッチ制御信号をアンテナ局に送信し、アンテナ局が、制御局２から受信した第１または第２のスイッチ制御信号から自局の周波数帯の成分または自局の光の波長帯の成分のみを抽出し、自局の周波数帯の成分、または自局の光の波長帯の成分のみが抽出された信号のレベルが所定値以上の場合に、第１または第２のスイッチ４４，４７をオンにするものとしたが、これに限定するものではない。
【０２９６】
たとえば、制御局２において、アンテナ局のＩＤを含む第１または第２のスイッチ制御信号（たとえば、アンテナ局のＩＤを“Ａ１”としたときに、デジタルデータ“ＣＯＮ  Ａ１”）を作成して、これを制御信号用の周波数に変調してアンテナ局に送信し、アンテナ局のスイッチ制御部４６は、フィルタ部４５または第１のフィルタ部４９から出力される制御信号用の周波数帯の信号が自局のＩＤを含むような信号のパターン（信号の形状など）に一致する場合、あるいはフィルタ部４５または第１のフィルタ部４９から出力される制御信号用の周波数帯の信号をデジタルデータに復調し、このデジタルデータに自局のＩＤが含まれる場合に、第１または第２のスイッチ４４，４７をオンにするものとしてもよい。
【０２９７】
または、制御局２において、アンテナ局のＩＤを含む第１または第２のスイッチ制御信号（たとえば、“ＣＯＮ  Ａ１”）を作成して、これを制御信号用の波長帯の光信号に変調してアンテナ局に送信し、アンテナ局のスイッチ制御部４６は、フィルタ部４５または第１のフィルタ部４９から出力される制御信号用の波長帯の光信号が自局のＩＤを含むような信号のパターン（信号の形状など）に一致する場合、あるいはフィルタ部４５または第１のフィルタ部４９から出力される制御信号用の波長帯の光信号をデジタルデータに復調し（無線信号に復調して、さらにデジタルデータに復調する）、このデジタルデータに自局のＩＤが含まれる場合に、第１または第２のスイッチ４４，４７をオンにするものとしてもよい。
【０２９８】
あるいは、制御局２において、第１のスイッチ制御信号を送って第１のスイッチ４４を制御することなく、各アンテナ局のＩＤを含む通信開始許可メッセージを順次送信して、アンテナ局において、受信した通信開始許可メッセージに自局のＩＤが含まれる場合に、受信した通信開始許可メッセージを子局へ送信することとしてもよい。
【０２９９】
（５）  課金処理について
本発明の実施形態では、課金処理部は、通信履歴テーブルに基づいてアンテナ局に対する請求金額を算出したが、これに限定するものではない。課金処理部は、通信開始要求メッセージに含まれるＩＤの子局に対する請求金額を算出するものとしてもよい。あるいは、通信履歴テーブルが、子局ごとの一定期間内の通信回数を定めたものとし、課金処理部が、この通信履歴テーブルに基づいて子局に対する請求金額を算出するものとしてもよい。
【０３００】
（６）  通信履歴テーブルについて
本発明の実施形態では、通信履歴テーブルに、通信開始要求メッセージを受信した回数である通信回数を記憶したが、これに限定するものではない。たとえば、通信履歴テーブルに、すべてのメッセージデータ（通信開始要求メッセージおよび通信メッセージなど）を受信した回数である通信回数を記憶するものとしてもよい。あるいは、通信履歴テーブルに、一定期間内の通信時間（各通信についての通信開始から通信終了までの時間を、一定期間内の全通信について合計したもの）を記憶するものとしてもよい。
【０３０１】
（７）  キャッシュバックについて
本発明の実施形態では、課金処理部は、通信回数が多いほどアンテナ局に対する請求金額を増加させたが、これに限定するものではなく、通信回数が多いほど、請求金額を減少させる、いわゆるキャッシュバック機能を持たせてもよい。
【０３０２】
たとえば、ある家庭が、アンテナ局＃Ａ１を自己の費用で設置し、このアンテナ局＃Ａ１の通信相手の子局がその家庭内のパソコン（ＩＤが＃Ｍ１）と、その家庭内のセキュリティ機器（ＩＤが＃Ｍ２）と、その家庭の近隣に設置された飲料水の自動販売機（ＩＤが＃Ｍ３）であるとする。飲料水の自動販売機（ＩＤが＃Ｍ３）では、売れた飲料水の種類と数を無線基地局３を介して販売センターに送信しているものとする。
【０３０３】
アンテナ局＃Ａ１を設置した家庭に対して請求する際に、ＩＤが＃Ｍ１のパソコンとＩＤがＭ２のセキュリティ機器の通信については、自己のために使用するのであるから、通信回数が多いほど請求金額を増加させてもよいが、ＩＤが＃Ｍ３の自動販売機の通信については、自己のための使用ではなく、むしろ自己の費用で、かつ自己の住居に設置したアンテナ局を利用させてやるのであるから、通信回数が多いほど請求金額を減額させる方が望ましいといえる。
【０３０４】
したがって、家庭内のパソコン（ＩＤが＃Ｍ１）の通信回数がａ回、家庭内のセキュリティ機器（ＩＤが＃Ｍ２）の通信回数がｂ回、飲料水の自動販売機（ＩＤが＃Ｍ３）の通信回数がｃ回とし、１回の通信の請求金額をｄ円としたときに、アンテナ局＃Ａ１の請求金額は、（ａ＋ｂ−ｃ）×ｄ円とすることとしてもよい。この場合には、通信履歴テーブルには、子局ごとの通信回数を記憶しておくことが必要となる。
【０３０５】
（８）  通信の終了について
本発明の第１の実施形態では、制御局２が、子局との通信の開始から所定時間経過後に、アンテナ局を指示して子局との通信を終了する（自動終了）ものとし、本発明の第２の実施形態では、子局から制御局２へ通信終了要求メッセージを送信し、制御局２が通信終了要求メッセージを受信したことに応じて、アンテナ局を指示して子局との通信を終了（子局からの要求で終了）するものとしたが、これに限定するものではない、
たとえば、第１の実施形態で子局からの要求で終了する方法を用いてもよく、第２の実施形態で自動終了するものとしてもよい。
【０３０６】
あるいは、第１および第２の実施形態において、子局との通信が行なわれていないアンテナ局のオフの状態の第２のスイッチが、第２のスイッチ制御信号によってオフにされてから所定時間経過後に自動的にオンにもどるものとしてもよい。
【０３０７】
（９）  光スイッチの利用について
本発明の実施形態では、光ファイバ８の幹線部と支線部との間に光分岐／結合器を配置したが、これに代えて光スイッチを設けてもよい。光スイッチを設けることとした場合には、各アンテナ局で個別に制御局２への通信メッセージの伝送を制御するのではなく、光スイッチで一括して各アンテナ局から制御局２への通信メッセージの伝送を制御するようにすればよい。
【０３０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３０９】
【図１】第１の実施形態の通信システムの全体構成を表わす図である。
【図２】第１の実施形態の制御局２の構成を表わす図である。
【図３】通信履歴テーブルの例を表わす図である。
【図４】第１の実施形態のアンテナ局４−１の構成を表わす図である
【図５】第１の実施形態の子局５−１の構成を表わす図である。
【図６】第１の実施形態の通信システムの通信開始時の動作手順の概要を表わすフローチャートである。
【図７】第１の実施形態のステップＳ１０１の通信開始要求メッセージの通信処理の動作手順の詳細を表わすフローチャートである。
【図８】第１の実施形態のステップＳ１０２の通信開始許可メッセージの通信処理および子局での通信開始許可メッセージの受信レベルの検出処理の動作手順の詳細を表わすフローチャートである。
【図９】第１の実施形態のステップＳ１０３の子局が無線基地局との通信に使用するアンテナ局の選択処理の動作手順の詳細を表わすフローチャートである。
【図１０】第１の実施形態のステップＳ１０４のアンテナ選択通知メッセージの通信処理の動作手順の詳細を表わすフローチャートである。
【図１１】第１の実施形態のステップＳ１０５のアンテナ局における、子局から受信する信号を制御局へ送信するか否かの切替え設定処理の動作手順の詳細を表わすフローチャートである。
【図１２】第１の実施形態のステップＳ１０６の制御局における、アンテナ局に対する課金処理の詳細な動作手順を表わすフローチャートである。
【図１３】第１の実施形態の通信システムの通信中の動作手順を表わすフローチャートである。
【図１４】第１の実施形態の通信システムの通信終了時の動作手順を表わすフローチャートである。
【図１５】第１の実施形態の通信システムの通信開始時の動作の具体例を説明するための図である。
【図１６】第２の実施形態のアンテナ局の構成を表わす図である。
【図１７】第２の実施形態のステップＳ１０１の通信開始要求メッセージの通信処理の動作手順の詳細を表わすフローチャートである。
【図１８】第２の実施形態のステップＳ１０２の通信開始許可メッセージの通信処理および子局での通信開始許可メッセージの受信レベルの検出処理の動作手順の詳細を表わすフローチャートである。
【図１９】第２の実施形態のステップＳ１０４のアンテナ選択通知メッセージの通信処理の動作手順の詳細を表わすフローチャートである。
【図２０】第２の実施形態のステップＳ１０５のアンテナ局における、子局から受信する信号を制御局へ送信するか否かの切替え設定処理の動作手順の詳細を表わすフローチャートである。
【図２１】第２の実施形態の通信システムの通信中の動作手順を表わすフローチャートである。
【図２２】第２の実施形態の通信システムの通信終了時の動作手順を表わすフローチャートである。
【図２３】第２の実施形態の通信システムの通信開始時の動作の具体例を説明するための図である。
【図２４】メッセージデータと制御信号とを光波長多重する場合のアンテナ局の構成を表わす図である。
【符号の説明】
【０３１０】
１  通信システム、２  制御局、３  無線基地局、４−１〜４−３  アンテナ局、５−１〜５−７  子局、６−１〜６−３  ゾーン、７  光分岐／結合器、８  光ファイバ、２１，５３  無線部、２２，４２  電気／光（Ｅ／Ｏ）変換器、２３，４１  光／電気（Ｏ／Ｅ）変換器、２４，５５  通信制御部、２６  通信履歴テーブル記憶部、２７  課金処理部、４３，５２  アンテナ、４４  第１のスイッチ、４５  フィルタ部、４６  スイッチ制御部、４７  第２のスイッチ、４８  第２のフィルタ部、４９  第１のフィルタ部、５４  ＲＳＳＩ検出部。
【図１】
2007150852.tif 000003
【図２】
2007150852.tif 000004
【図３】
2007150852.tif 000005
【図４】
2007150852.tif 000006
【図５】
2007150852.tif 000007
【図６】
2007150852.tif 000008
【図７】
2007150852.tif 000009
【図８】
2007150852.tif 000010
【図９】
2007150852.tif 000011
【図１０】
2007150852.tif 000012
【図１１】
2007150852.tif 000013
【図１２】
2007150852.tif 000014
【図１３】
2007150852.tif 000015
【図１４】
2007150852.tif 000016
【図１５】
2007150852.tif 000017
【図１６】
2007150852.tif 000018
【図１７】
2007150852.tif 000019
【図１８】
2007150852.tif 000020
【図１９】
2007150852.tif 000021
【図２０】
2007150852.tif 000022
【図２１】
2007150852.tif 000023
【図２２】
2007150852.tif 000024
【図２３】
2007150852.tif 000025
【図２４】
2007150852.tif 000026